(57)【要約】【課題】処理状況の妥当性の検証を支援することができる情報記録システム、情報記録装置、および情報記録方法を提供する。【解決手段】情報記録システムにおいて、情報生成部は、対象物に対して行われる処理を識別するための処理情報を生成する。ＩＤ取得部は、前記対象物と前記対象物を収納または支持する物体との少なくとも１つに添付されたＩＤ情報を取得する。記録部は、第１のＩＤ情報および第２のＩＤ情報を前記処理情報に関連付け、かつ前記処理情報、前記第１のＩＤ情報、および前記第２のＩＤ情報を記録媒体に記録する。前記第１のＩＤ情報は、前記処理が行われる前に前記ＩＤ取得部によって取得された前記ＩＤ情報である。前記第２のＩＤ情報は、前記処理が行われた後に前記ＩＤ取得部によって取得された前記ＩＤ情報である。【選択図】図１
2018132885.tif 000002
【特許請求の範囲】
【請求項１】
対象物に対して行われる処理を識別するための処理情報を生成する情報生成部と、
前記対象物と前記対象物を収納または支持する物体との少なくとも１つに添付されたＩＤ情報を取得するＩＤ取得部と、
第１のＩＤ情報および第２のＩＤ情報を前記処理情報に関連付け、かつ前記処理情報、前記第１のＩＤ情報、および前記第２のＩＤ情報を記録媒体に記録し、前記第１のＩＤ情報は、前記処理が行われる前に前記ＩＤ取得部によって取得された前記ＩＤ情報であり、前記第２のＩＤ情報は、前記処理が行われた後に前記ＩＤ取得部によって取得された前記ＩＤ情報である記録部と、
を有する情報記録システム。
【請求項２】
前記情報生成部は、前記処理に使用される器具に搭載され、かつ前記器具の使用を検知したときに前記処理情報を出力する
請求項１に記載の情報記録システム。
【請求項３】
前記器具は、病理標本の作製に使用される
請求項２に記載の情報記録システム。
【請求項４】
前記情報生成部は、前記処理の様子を撮影することにより画像情報を生成するカメラを有し、
前記記録部は、前記カメラによって生成された前記画像情報を前記処理情報として前記記録媒体に記録する
請求項１に記載の情報記録システム。
【請求項５】
前記処理の開始に関する開始指示と、前記処理の終了に関する終了指示とを受け付ける第１の指示受付部をさらに有し、
前記第１のＩＤ情報は、前記開始指示が受け付けられたタイミングに関連付けられたタイミングで前記ＩＤ取得部によって取得された前記ＩＤ情報であり、
前記第２のＩＤ情報は、前記終了指示が受け付けられたタイミングに関連付けられたタイミングで前記ＩＤ取得部によって取得された前記ＩＤ情報である
請求項１に記載の情報記録システム。
【請求項６】
前記ＩＤ取得部は、
前記第１のＩＤ情報を取得する第１のＩＤ取得部と、
前記第１のＩＤ取得部と異なり、かつ前記第２のＩＤ情報を取得する第２のＩＤ取得部と、
を有する
請求項１に記載の情報記録システム。
【請求項７】
前記ＩＤ取得部は、前記対象物および前記物体の少なくとも１つを撮影することにより画像情報を生成するカメラを有し、
前記記録部は、前記カメラによって生成された前記画像情報を前記ＩＤ情報として前記記録媒体に記録する
請求項１に記載の情報記録システム。
【請求項８】
前記ＩＤ取得部は、
前記対象物および前記物体の少なくとも１つを撮影することにより画像情報を生成するカメラと、
前記カメラによって生成された前記画像情報に対して画像処理を行うことにより前記ＩＤ情報を取得する画像処理部と、
を有する
請求項１に記載の情報記録システム。
【請求項９】
前記画像処理部は、前記画像情報における第１の領域から前記第１のＩＤ情報を取得し、
前記画像処理部は、前記画像情報において前記第１の領域と異なる第２の領域から前記第２のＩＤ情報を取得する
請求項８に記載の情報記録システム。
【請求項１０】
前記画像情報において前記ＩＤ情報の第１の動きが認識された場合、前記画像処理部は、前記ＩＤ情報を前記第１のＩＤ情報として取得し、
前記画像情報において前記ＩＤ情報の第２の動きが認識された場合、前記画像処理部は、前記ＩＤ情報を前記第２のＩＤ情報として取得し、
前記第２の動きは、前記第１の動きと異なる
請求項８に記載の情報記録システム。
【請求項１１】
前記ＩＤ情報が記録された無線タグが前記対象物および前記物体の少なくとも１つに添付され、
前記ＩＤ取得部は、前記ＩＤ情報を前記無線タグから受信する無線通信部である
請求項１に記載の情報記録システム。
【請求項１２】
前記ＩＤ取得部は、
前記処理を行うユーザが発した音声に基づく音声情報を取得する音声取得部と、
前記音声取得部によって取得された前記音声情報に基づいて前記ＩＤ情報を認識する音声処理部と、
を有する
請求項１に記載の情報記録システム。
【請求項１３】
前記情報生成部は、複数の前記処理の各々に対応する前記処理情報を生成し、
前記ＩＤ取得部は、前記複数の前記処理の各々に対応する前記第１のＩＤ情報および前記第２のＩＤ情報を取得し、
前記記録部は、前記複数の前記処理の各々に対応する前記第１のＩＤ情報および前記第２のＩＤ情報を前記複数の前記処理の各々の前記処理情報に関連付け、
前記記録部は、前記複数の前記処理の各々に対応する前記処理情報、前記第１のＩＤ情報、および前記第２のＩＤ情報を前記記録媒体に記録する
請求項１に記載の情報記録システム。
【請求項１４】
前記記録部はさらに、前記処理が行われた時刻を示す時刻情報を前記処理情報に関連付け、かつ前記時刻情報を前記記録媒体に記録する
請求項１に記載の情報記録システム。
【請求項１５】
前記第１のＩＤ情報および前記第２のＩＤ情報の少なくとも１つを指定する指示を受け付ける第２の指示受付部と、
前記指示に対応する前記第１のＩＤ情報および前記第２のＩＤ情報の少なくとも１つに関連付けられた前記処理情報と、前記処理情報に関連付けられた前記第１のＩＤ情報および前記第２のＩＤ情報とを前記記録媒体から読み出す読み出し部と、
を有する
請求項１に記載の情報記録システム。
【請求項１６】
前記第２の指示受付部によって、前記第２のＩＤ情報を指定する指示が受け付けられた場合、前記読み出し部は、前記指示に対応する前記第２のＩＤ情報に関連付けられた第１の処理情報と、前記第１の処理情報に関連付けられた前記第１のＩＤ情報および前記第２のＩＤ情報とを前記記録媒体から読み出し、
前記読み出し部はさらに、前記第１の処理情報に関連付けられた前記第１のＩＤ情報と同一の前記第２のＩＤ情報に関連付けられた第２の処理情報と、前記第２の処理情報に関連付けられた前記第１のＩＤ情報および前記第２のＩＤ情報とを前記記録媒体から読み出す
請求項１５に記載の情報記録システム。
【請求項１７】
前記第２の指示受付部によって、前記第１のＩＤ情報を指定する指示が受け付けられた場合、前記読み出し部は、前記指示に対応する前記第１のＩＤ情報に関連付けられた第１の処理情報と、前記第１の処理情報に関連付けられた前記第１のＩＤ情報および前記第２のＩＤ情報とを前記記録媒体から読み出し、
前記読み出し部はさらに、前記第１の処理情報に関連付けられた前記第２のＩＤ情報と同一の前記第１のＩＤ情報に関連付けられた第２の処理情報と、前記第２の処理情報に関連付けられた前記第１のＩＤ情報および前記第２のＩＤ情報とを前記記録媒体から読み出す
請求項１５に記載の情報記録システム。
【請求項１８】
前記処理情報を指定する指示を受け付ける第３の指示受付部と、
前記指示に対応する前記処理情報と、前記処理情報に関連付けられた前記第１のＩＤ情報および前記第２のＩＤ情報とを前記記録媒体から読み出す読み出し部と、
を有する
請求項１に記載の情報記録システム。
【請求項１９】
前記第３の指示受付部によって、第１の処理情報を指定する指示が受け付けられた場合、前記読み出し部は、前記指示に対応する前記第１の処理情報と、前記第１の処理情報に関連付けられた前記第１のＩＤ情報および前記第２のＩＤ情報とを前記記録媒体から読み出し、
前記読み出し部はさらに、前記第１の処理情報に関連付けられた前記第１のＩＤ情報と同一の前記第２のＩＤ情報に関連付けられた第２の処理情報と、前記第２の処理情報に関連付けられた前記第１のＩＤ情報および前記第２のＩＤ情報とを前記記録媒体から読み出す
請求項１８に記載の情報記録システム。
【請求項２０】
前記第３の指示受付部によって、第１の処理情報を指定する指示が受け付けられた場合、前記読み出し部は、前記指示に対応する前記第１の処理情報と、前記第１の処理情報に関連付けられた前記第１のＩＤ情報および前記第２のＩＤ情報とを前記記録媒体から読み出し、
前記読み出し部はさらに、前記第１の処理情報に関連付けられた前記第２のＩＤ情報と同一の前記第１のＩＤ情報に関連付けられた第２の処理情報と、前記第２の処理情報に関連付けられた前記第１のＩＤ情報および前記第２のＩＤ情報とを前記記録媒体から読み出す
請求項１８に記載の情報記録システム。
【請求項２１】
前記読み出し部によって読み出された前記処理情報、前記第１のＩＤ情報、および前記第２のＩＤ情報を表示する表示部をさらに有する
請求項１５または請求項１８に記載の情報記録システム。
【請求項２２】
前記記録媒体に記録された前記処理情報、前記第１のＩＤ情報、および前記第２のＩＤ情報の少なくとも１つが、前記処理情報、前記第１のＩＤ情報、および前記第２のＩＤ情報が満たすべき条件として予め定義された前記条件と一致するか否かを判定する判定部と、
前記記録媒体に記録された前記処理情報、前記第１のＩＤ情報、および前記第２のＩＤ情報の少なくとも１つが前記条件と一致しない場合に警告を発する警告部と、
をさらに有する
請求項１に記載の情報記録システム。
【請求項２３】
情報生成部によって生成された処理情報と、ＩＤ取得部によって取得されたＩＤ情報とが入力され、前記情報生成部は、対象物に対して行われる処理を識別するための前記処理情報を生成し、前記ＩＤ取得部は、前記対象物と前記対象物を収納または支持する物体との少なくとも１つに添付されたＩＤ情報を取得する入力部と、
第１のＩＤ情報および第２のＩＤ情報を前記処理情報に関連付け、かつ前記処理情報、前記第１のＩＤ情報、および前記第２のＩＤ情報を記録媒体に記録し、前記第１のＩＤ情報は、前記処理が行われる前に前記ＩＤ取得部によって取得された前記ＩＤ情報であり、前記第２のＩＤ情報は、前記処理が行われた後に前記ＩＤ取得部によって取得された前記ＩＤ情報である記録部と、
を有する情報記録装置。
【請求項２４】
情報生成部が、対象物に対して行われる処理を識別するための処理情報を生成する情報生成ステップと、
ＩＤ取得部が、前記対象物と前記対象物を収納または支持する物体との少なくとも１つに添付されたＩＤ情報を取得するＩＤ取得ステップと、
記録部が、第１のＩＤ情報および第２のＩＤ情報を前記処理情報に関連付け、かつ前記処理情報、前記第１のＩＤ情報、および前記第２のＩＤ情報を記録媒体に記録し、前記第１のＩＤ情報は、前記処理が行われる前に前記ＩＤ取得部によって取得された前記ＩＤ情報であり、前記第２のＩＤ情報は、前記処理が行われた後に前記ＩＤ取得部によって取得された前記ＩＤ情報である記録ステップと、
を有する情報記録方法。
【請求項２５】
情報生成部によって生成された処理情報と、ＩＤ取得部によって取得されたＩＤ情報とが入力部に入力され、前記情報生成部は、対象物に対して行われる処理を識別するための前記処理情報を生成し、前記ＩＤ取得部は、前記対象物と前記対象物を収納または支持する物体との少なくとも１つに添付されたＩＤ情報を取得する入力ステップと、
第１のＩＤ情報および第２のＩＤ情報を前記処理情報に関連付け、かつ前記処理情報、前記第１のＩＤ情報、および前記第２のＩＤ情報を記録媒体に記録し、前記第１のＩＤ情報は、前記処理が行われる前に前記ＩＤ取得部によって取得された前記ＩＤ情報であり、前記第２のＩＤ情報は、前記処理が行われた後に前記ＩＤ取得部によって取得された前記ＩＤ情報である記録ステップと、
を有する情報記録方法。
【発明の詳細な説明】
【技術分野】
【０００１】
本発明は、情報記録システム、情報記録装置、および情報記録方法に関する。
【背景技術】
【０００２】
検査の現場において、検査対象物である検体に対して分割および加工などの処理が行われる。処理が行われた検体に対して、検査が行われる。例えば、病理診断において、患者の臓器などの組織から作製された病理標本に基づいて診断が行われる。大量の検体が処理されなければならない状況において、検体の取り違えが発生する可能性がある。
【０００３】
検体の取り違えを低減するための技術が特許文献１に開示されている。この技術において、検体の画像から生成された第１の特徴量がＩＣタグに記録される。第１の特徴量が記録されたＩＣタグは、検体を収納する第１の容器に付加される。検体が第１の容器から第２の容器に移されるとき、検体が撮影され、かつ検体の画像から第２の特徴量が生成される。ＩＣタグに記録された第１の特徴量が第２の特徴量と一致するか否かが判断される。これにより、検体の照合が行われる。
【先行技術文献】
【特許文献】
【０００４】
【特許文献１】特開２０１３−０７２６９３号公報
【発明の概要】
【発明が解決しようとする課題】
【０００５】
多くの手作業を含む処理が行われる検査において、検体の取り違えなどの作業誤りが発生する可能性がある。このため、処理状況の妥当性を検証するための手段が要求される。
【０００６】
本発明は、処理状況の妥当性の検証を支援することができる情報記録システム、情報記録装置、および情報記録方法を提供することを目的とする。
【課題を解決するための手段】
【０００７】
本発明は、対象物に対して行われる処理を識別するための処理情報を生成する情報生成部と、前記対象物と前記対象物を収納または支持する物体との少なくとも１つに添付されたＩＤ情報を取得するＩＤ取得部と、第１のＩＤ情報および第２のＩＤ情報を前記処理情報に関連付け、かつ前記処理情報、前記第１のＩＤ情報、および前記第２のＩＤ情報を記録媒体に記録し、前記第１のＩＤ情報は、前記処理が行われる前に前記ＩＤ取得部によって取得された前記ＩＤ情報であり、前記第２のＩＤ情報は、前記処理が行われた後に前記ＩＤ取得部によって取得された前記ＩＤ情報である記録部と、を有する情報記録システムである。
【０００８】
本発明の情報記録システムにおいて、前記情報生成部は、前記処理に使用される器具に搭載され、かつ前記器具の使用を検知したときに前記処理情報を出力する。
【０００９】
本発明の情報記録システムにおいて、前記器具は、病理標本の作製に使用される。
【００１０】
本発明の情報記録システムにおいて、前記情報生成部は、前記処理の様子を撮影することにより画像情報を生成するカメラを有し、前記記録部は、前記カメラによって生成された前記画像情報を前記処理情報として前記記録媒体に記録する。
【００１１】
本発明の情報記録システムは、前記処理の開始に関する開始指示と、前記処理の終了に関する終了指示とを受け付ける第１の指示受付部をさらに有し、前記第１のＩＤ情報は、前記開始指示が受け付けられたタイミングに関連付けられたタイミングで前記ＩＤ取得部によって取得された前記ＩＤ情報であり、前記第２のＩＤ情報は、前記終了指示が受け付けられたタイミングに関連付けられたタイミングで前記ＩＤ取得部によって取得された前記ＩＤ情報である。
【００１２】
本発明の情報記録システムにおいて、前記ＩＤ取得部は、前記第１のＩＤ情報を取得する第１のＩＤ取得部と、前記第１のＩＤ取得部と異なり、かつ前記第２のＩＤ情報を取得する第２のＩＤ取得部と、を有する。
【００１３】
本発明の情報記録システムにおいて、前記ＩＤ取得部は、前記対象物および前記物体の少なくとも１つを撮影することにより画像情報を生成するカメラを有し、前記記録部は、前記カメラによって生成された前記画像情報を前記ＩＤ情報として前記記録媒体に記録する。
【００１４】
本発明の情報記録システムにおいて、前記ＩＤ取得部は、前記対象物および前記物体の少なくとも１つを撮影することにより画像情報を生成するカメラと、前記カメラによって生成された前記画像情報に対して画像処理を行うことにより前記ＩＤ情報を取得する画像処理部と、を有する。
【００１５】
本発明の情報記録システムにおいて、前記画像処理部は、前記画像情報における第１の領域から前記第１のＩＤ情報を取得し、前記画像処理部は、前記画像情報において前記第１の領域と異なる第２の領域から前記第２のＩＤ情報を取得する。
【００１６】
本発明の情報記録システムにおいて、前記画像情報において前記ＩＤ情報の第１の動きが認識された場合、前記画像処理部は、前記ＩＤ情報を前記第１のＩＤ情報として取得し、前記画像情報において前記ＩＤ情報の第２の動きが認識された場合、前記画像処理部は、前記ＩＤ情報を前記第２のＩＤ情報として取得し、前記第２の動きは、前記第１の動きと異なる。
【００１７】
本発明の情報記録システムにおいて、前記ＩＤ情報が記録された無線タグが前記対象物および前記物体の少なくとも１つに添付され、前記ＩＤ取得部は、前記ＩＤ情報を前記無線タグから受信する無線通信部である。
【００１８】
本発明の情報記録システムにおいて、前記ＩＤ取得部は、前記処理を行うユーザが発した音声に基づく音声情報を取得する音声取得部と、前記音声取得部によって取得された前記音声情報に基づいて前記ＩＤ情報を認識する音声処理部と、を有する。
【００１９】
本発明の情報記録システムにおいて、前記情報生成部は、複数の前記処理の各々に対応する前記処理情報を生成し、前記ＩＤ取得部は、前記複数の前記処理の各々に対応する前記第１のＩＤ情報および前記第２のＩＤ情報を取得し、前記記録部は、前記複数の前記処理の各々に対応する前記第１のＩＤ情報および前記第２のＩＤ情報を前記複数の前記処理の各々の前記処理情報に関連付け、前記記録部は、前記複数の前記処理の各々に対応する前記処理情報、前記第１のＩＤ情報、および前記第２のＩＤ情報を前記記録媒体に記録する。
【００２０】
本発明の情報記録システムにおいて、前記記録部はさらに、前記処理が行われた時刻を示す時刻情報を前記処理情報に関連付け、かつ前記時刻情報を前記記録媒体に記録する。
【００２１】
本発明の情報記録システムは、前記第１のＩＤ情報および前記第２のＩＤ情報の少なくとも１つを指定する指示を受け付ける第２の指示受付部と、前記指示に対応する前記第１のＩＤ情報および前記第２のＩＤ情報の少なくとも１つに関連付けられた前記処理情報と、前記処理情報に関連付けられた前記第１のＩＤ情報および前記第２のＩＤ情報とを前記記録媒体から読み出す読み出し部と、を有する。
【００２２】
本発明の情報記録システムにおいて、前記第２の指示受付部によって、前記第２のＩＤ情報を指定する指示が受け付けられた場合、前記読み出し部は、前記指示に対応する前記第２のＩＤ情報に関連付けられた第１の処理情報と、前記第１の処理情報に関連付けられた前記第１のＩＤ情報および前記第２のＩＤ情報とを前記記録媒体から読み出し、前記読み出し部はさらに、前記第１の処理情報に関連付けられた前記第１のＩＤ情報と同一の前記第２のＩＤ情報に関連付けられた第２の処理情報と、前記第２の処理情報に関連付けられた前記第１のＩＤ情報および前記第２のＩＤ情報とを前記記録媒体から読み出す。
【００２３】
本発明の情報記録システムにおいて、前記第２の指示受付部によって、前記第１のＩＤ情報を指定する指示が受け付けられた場合、前記読み出し部は、前記指示に対応する前記第１のＩＤ情報に関連付けられた第１の処理情報と、前記第１の処理情報に関連付けられた前記第１のＩＤ情報および前記第２のＩＤ情報とを前記記録媒体から読み出し、前記読み出し部はさらに、前記第１の処理情報に関連付けられた前記第２のＩＤ情報と同一の前記第１のＩＤ情報に関連付けられた第２の処理情報と、前記第２の処理情報に関連付けられた前記第１のＩＤ情報および前記第２のＩＤ情報とを前記記録媒体から読み出す。
【００２４】
本発明の情報記録システムは、前記処理情報を指定する指示を受け付ける第３の指示受付部と、前記指示に対応する前記処理情報と、前記処理情報に関連付けられた前記第１のＩＤ情報および前記第２のＩＤ情報とを前記記録媒体から読み出す読み出し部と、を有する。
【００２５】
本発明の情報記録システムにおいて、前記第３の指示受付部によって、第１の処理情報を指定する指示が受け付けられた場合、前記読み出し部は、前記指示に対応する前記第１の処理情報と、前記第１の処理情報に関連付けられた前記第１のＩＤ情報および前記第２のＩＤ情報とを前記記録媒体から読み出し、前記読み出し部はさらに、前記第１の処理情報に関連付けられた前記第１のＩＤ情報と同一の前記第２のＩＤ情報に関連付けられた第２の処理情報と、前記第２の処理情報に関連付けられた前記第１のＩＤ情報および前記第２のＩＤ情報とを前記記録媒体から読み出す。
【００２６】
本発明の情報記録システムにおいて、前記第３の指示受付部によって、第１の処理情報を指定する指示が受け付けられた場合、前記読み出し部は、前記指示に対応する前記第１の処理情報と、前記第１の処理情報に関連付けられた前記第１のＩＤ情報および前記第２のＩＤ情報とを前記記録媒体から読み出し、前記読み出し部はさらに、前記第１の処理情報に関連付けられた前記第２のＩＤ情報と同一の前記第１のＩＤ情報に関連付けられた第２の処理情報と、前記第２の処理情報に関連付けられた前記第１のＩＤ情報および前記第２のＩＤ情報とを前記記録媒体から読み出す。
【００２７】
本発明の情報記録システムは、前記読み出し部によって読み出された前記処理情報、前記第１のＩＤ情報、および前記第２のＩＤ情報を表示する表示部をさらに有する。
【００２８】
本発明の情報記録システムは、前記記録媒体に記録された前記処理情報、前記第１のＩＤ情報、および前記第２のＩＤ情報の少なくとも１つが、前記処理情報、前記第１のＩＤ情報、および前記第２のＩＤ情報が満たすべき条件として予め定義された前記条件と一致するか否かを判定する判定部と、前記記録媒体に記録された前記処理情報、前記第１のＩＤ情報、および前記第２のＩＤ情報の少なくとも１つが前記条件と一致しない場合に警告を発する警告部と、をさらに有する。
【００２９】
本発明は、情報生成部によって生成された処理情報と、ＩＤ取得部によって取得されたＩＤ情報とが入力され、前記情報生成部は、対象物に対して行われる処理を識別するための前記処理情報を生成し、前記ＩＤ取得部は、前記対象物と前記対象物を収納または支持する物体との少なくとも１つに添付されたＩＤ情報を取得する入力部と、第１のＩＤ情報および第２のＩＤ情報を前記処理情報に関連付け、かつ前記処理情報、前記第１のＩＤ情報、および前記第２のＩＤ情報を記録媒体に記録し、前記第１のＩＤ情報は、前記処理が行われる前に前記ＩＤ取得部によって取得された前記ＩＤ情報であり、前記第２のＩＤ情報は、前記処理が行われた後に前記ＩＤ取得部によって取得された前記ＩＤ情報である記録部と、を有する情報記録装置である。
【００３０】
本発明は、情報生成部が、対象物に対して行われる処理を識別するための処理情報を生成する情報生成ステップと、ＩＤ取得部が、前記対象物と前記対象物を収納または支持する物体との少なくとも１つに添付されたＩＤ情報を取得するＩＤ取得ステップと、記録部が、第１のＩＤ情報および第２のＩＤ情報を前記処理情報に関連付け、かつ前記処理情報、前記第１のＩＤ情報、および前記第２のＩＤ情報を記録媒体に記録し、前記第１のＩＤ情報は、前記処理が行われる前に前記ＩＤ取得部によって取得された前記ＩＤ情報であり、前記第２のＩＤ情報は、前記処理が行われた後に前記ＩＤ取得部によって取得された前記ＩＤ情報である記録ステップと、を有する情報記録方法である。
【００３１】
本発明は、情報生成部によって生成された処理情報と、ＩＤ取得部によって取得されたＩＤ情報とが入力部に入力され、前記情報生成部は、対象物に対して行われる処理を識別するための前記処理情報を生成し、前記ＩＤ取得部は、前記対象物と前記対象物を収納または支持する物体との少なくとも１つに添付されたＩＤ情報を取得する入力ステップと、第１のＩＤ情報および第２のＩＤ情報を前記処理情報に関連付け、かつ前記処理情報、前記第１のＩＤ情報、および前記第２のＩＤ情報を記録媒体に記録し、前記第１のＩＤ情報は、前記処理が行われる前に前記ＩＤ取得部によって取得された前記ＩＤ情報であり、前記第２のＩＤ情報は、前記処理が行われた後に前記ＩＤ取得部によって取得された前記ＩＤ情報である記録ステップと、を有する情報記録方法である。
【発明の効果】
【００３２】
本発明によれば、情報記録システム、情報記録装置、および情報記録方法は、処理状況の妥当性の検証を支援することができる。
【図面の簡単な説明】
【００３３】
【図１】本発明の第１の実施形態の情報記録システムの構成を示すブロック図である。
【図２】本発明の第１の実施形態の情報記録システムによる処理の手順を示すフローチャートである。
【図３】本発明の第１の実施形態の情報記録システムによって記録される情報の例を示す概念図である。
【図４】本発明の第１の実施形態の情報記録システムによって記録される情報の例を示す概念図である。
【図５】本発明の第１の実施形態における複数の処理の時間関係の例を示す参考図である。
【図６】本発明の第１の実施形態の第１の変形例の情報記録システムの構成を示すブロック図である。
【図７】本発明の第１の実施形態の第１の変形例の情報記録システムによる処理の手順を示すフローチャートである。
【図８】本発明の第１の実施形態の第２の変形例の情報記録システムの構成を示すブロック図である。
【図９】本発明の第１の実施形態の第３の変形例の情報記録システムの構成を示すブロック図である。
【図１０】本発明の第１の実施形態の第４の変形例の情報記録システムの構成を示すブロック図である。
【図１１】本発明の第１の実施形態の第４の変形例の情報記録システムによる処理の手順を示すフローチャートである。
【図１２】本発明の第１の実施形態の第４の変形例において生成される画像情報の例を示す参考図である。
【図１３】本発明の第１の実施形態の第４の変形例において対象物に対する処理が行われる現場の模式図である。
【図１４】本発明の第１の実施形態の第４の変形例において生成される画像情報の例を示す参考図である。
【図１５】本発明の第１の実施形態の第５の変形例の情報記録システムの構成を示すブロック図である。
【図１６】本発明の第２の実施形態の情報記録システムの構成を示すブロック図である。
【図１７】本発明の第２の実施形態の情報記録システムによる処理の手順を示すフローチャートである。
【図１８】本発明の第２の実施形態の情報記録システムによって読み出される情報の例を示す参考図である。
【図１９】本発明の第２の実施形態の情報記録システムによって読み出される情報の例を示す参考図である。
【図２０】本発明の第２の実施形態の情報記録システムによって読み出される情報の例を示す参考図である。
【図２１】本発明の第３の実施形態の情報記録システムによる処理の手順を示すフローチャートである。
【図２２】本発明の第３の実施形態の情報記録システムによって読み出される情報の例を示す参考図である。
【図２３】本発明の第３の実施形態の情報記録システムによって読み出される情報の例を示す参考図である。
【図２４】本発明の第３の実施形態の情報記録システムによって読み出される情報の例を示す参考図である。
【図２５】本発明の第４の実施形態の情報記録システムの構成を示すブロック図である。
【図２６】本発明の第４の実施形態の情報記録システムによる処理の手順を示すフローチャートである。
【図２７】本発明の第５の実施形態における病理診断の例を示す参考図である。
【図２８】本発明の第５の実施形態における病理診断の例を示す参考図である。
【図２９】本発明の第５の実施形態における病理診断の例を示す参考図である。
【図３０】本発明の第５の実施形態における病理診断の例を示す参考図である。
【図３１】本発明の第６の実施形態の情報記録システムの構成を示すブロック図である。
【図３２】本発明の第６の実施形態の情報記録装置による処理の手順を示すフローチャートである。
【図３３】本発明の第７の実施形態の情報記録システムの構成を示すブロック図である。
【図３４】本発明の第７の実施形態の情報記録装置による処理の手順を示すフローチャートである。
【図３５】本発明の第８の実施形態の情報記録システムの構成を示すブロック図である。
【発明を実施するための形態】
【００３４】
以下、図面を参照し、本発明の実施形態を説明する。
【００３５】
（第１の実施形態）
図１は、本発明の第１の実施形態の情報記録システム１０の構成を示す。図１に示すように、情報記録システム１０は、情報生成部２０、ＩＤ取得部３０、記録部４０、および記録媒体５０を有する。
【００３６】
情報記録システム１０の概略構成について説明する。情報生成部２０は、対象物に対して行われる処理を識別するための処理情報を生成する。ＩＤ取得部３０は、対象物と対象物を収納または支持する物体との少なくとも１つに添付されたＩＤ情報を取得する。記録部４０は、第１のＩＤ情報および第２のＩＤ情報を処理情報に関連付け、かつ処理情報、第１のＩＤ情報、および第２のＩＤ情報を記録媒体５０に記録する。第１のＩＤ情報は、処理が行われる前にＩＤ取得部３０によって取得されたＩＤ情報である。第２のＩＤ情報は、処理が行われた後にＩＤ取得部３０によって取得されたＩＤ情報である。
【００３７】
情報記録システム１０の詳細な構成について説明する。対象物は、検査における各段階を構成する処理の対象となる物体である。例えば、対象物を収納または支持する物体は、様々な処理において使用される容器である。対象物を収納または支持する物体は、病理標本の作製において使用されるカートリッジおよびスライドガラスであってもよい。以下の説明では、対象物を収納または支持する物体として主に容器を使用する。以下の説明で使用されている容器は、処理内容に応じて、カートリッジおよびスライドガラス等の物体に置き換えることができる。
【００３８】
例えば、情報生成部２０は、処理に使用される器具に搭載され、かつ器具の使用を検知したときに処理情報を出力する。この処理情報は、処理の種類を識別できる。例えば、情報生成部２０は、センサを含む。例えば、試薬を対象物に加えるための器具にセンサが実装される。例えば、センサは、圧力センサまたは加速度センサである。器具の保持による圧力が圧力センサによって検出されたとき、情報生成部２０は処理情報を出力する。あるいは、器具の移動による加速度が加速度センサによって検出されたとき、情報生成部２０は処理情報を出力する。器具の種類すなわち処理内容に応じた処理情報が情報生成部２０から出力される。器具は、対象物に対して処理を自動的に行う装置であってもよい。情報生成部２０は、その装置による処理の実行を検知するセンサであってもよい。例えば、対象物に対して処理を行う装置の開始ボタンが押されたときに情報生成部２０は処理情報を出力する。
【００３９】
情報生成部２０が搭載された器具が病理標本の作製に使用されてもよい。例えば、器具は、包埋装置、薄切り装置（ミクロトーム）、染色装置、およびカバースリッパーであってもよい。カバースリッパーは、カバーガラスをスライドガラスに付ける装置である。
【００４０】
情報生成部２０は、処理の様子を撮影することにより画像情報を生成するカメラを有してもよい。記録部４０は、カメラによって生成された画像情報を処理情報として記録媒体５０に記録してもよい。カメラは、撮像素子（イメージセンサ）を有する。カメラは、少なくとも対象物を撮影する。カメラは、少なくとも対象物を撮影範囲に含むように配置される。画像情報は、処理内容に対応する対象物の状態を示す。カメラは、対象物と対象物の周辺とを撮影してもよい。この場合、カメラは、対象物と対象物の周辺とを撮影範囲に含むように配置される。例えば、対象物の周辺は、処理を行うユーザの少なくとも一部を含む。対象物の周辺は、処理に使用される機器の少なくとも一部を含んでもよい。画像情報は、動画情報および静止画情報のどちらであってもよい。ＩＤ取得部３０によって取得されたＩＤ情報は、タグ情報として画像情報に付加されてもよい。
【００４１】
カメラは、ユーザが装着するウェアラブルカメラであってもよい。ウェアラブルカメラは、観察者の視点に応じた画像情報を取得できるように観察者の目の近傍に装着されるヘッドマウント型のカメラである。したがって、カメラは、ユーザの視点の位置または視点の近傍位置に配置されてもよい。
【００４２】
情報生成部２０がカメラである場合、情報記録システム１０は、処理の詳細な内容を含む処理情報を容易に生成することができる。情報生成部２０がウェアラブルカメラである場合、情報記録システム１０は、ユーザの視点から捉えた処理内容を含む処理情報を容易に生成することができる。
【００４３】
例えば、ＩＤ情報が記録された無線タグが対象物および容器の少なくとも１つに添付される。ＩＤ取得部３０は、ＩＤ情報を無線タグから受信する無線通信部である。無線タグは、メモリと無線通信部とを有するＩＣチップである。ＩＤ取得部３０は、ＲＦＩＤ（ｒａｄｉｏ  ｆｒｅｑｕｅｎｃｙ  ｉｄｅｎｔｉｆｉｅｒ）におけるリーダである。ＩＤ情報がメモリに記録される。無線タグとＩＤ取得部３０とが有する無線通信部は、発振器などの無線回路と、アンテナとを有する。ＩＤ情報は、対象物および容器の少なくとも１つを識別する情報である。
【００４４】
バーコードまたは２次元コードなどのコードがＩＤ情報として対象物および容器の少なくとも１つに添付されてもよい。ＩＤ取得部３０ｃは、コードを読み取るコードスキャナ（コードリーダ）であってもよい。
【００４５】
ＩＤ情報が対象物のみに添付されている場合、ＩＤ情報は対象物から取得される。ＩＤ情報が対象物のみに添付されている場合、第１のＩＤ情報および第２のＩＤ情報が同一でありうる。ＩＤ情報が容器のみに添付されている場合、ＩＤ情報は容器から取得される。ＩＤ情報が容器のみに添付され、かつ処理の前と後とで同一の容器が使用される場合、第１のＩＤ情報および第２のＩＤ情報が同一でありうる。互いに異なるＩＤ情報が対象物および容器の各々に添付されている場合、ＩＤ情報は、対象物から取得されるＩＤ情報と、容器から取得されるＩＤ情報との組み合わせである。
【００４６】
例えば、記録部４０は、情報の記録処理を行う記録処理回路を含む。処理情報およびＩＤ情報の少なくとも１つは圧縮されてもよい。したがって、記録部４０は、情報を圧縮するための圧縮処理回路を含んでもよい。記録部４０は、記録処理および圧縮処理のためのバッファを含んでもよい。情報生成部２０によって生成された処理情報と、ＩＤ取得部３０によって取得されたＩＤ情報とは、記録部４０に入力される。処理が行われる前にＩＤ取得部３０によって取得されたＩＤ情報が第１のＩＤ情報として記録部４０に入力される。処理が行われた後にＩＤ取得部３０によって取得されたＩＤ情報が第２のＩＤ情報として記録部４０に入力される。記録部４０は、互いに関連付けられた処理情報、第１のＩＤ情報、および第２のＩＤ情報を記録媒体５０に記録する。
【００４７】
記録部４０は、１つまたは複数のプロセッサで構成されてもよい。例えば、プロセッサは、ＣＰＵ（Ｃｅｎｔｒａｌ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）、およびＧＰＵ（Ｇｒａｐｈｉｃｓ  Ｐｒｏｃｅｓｓｉｎｇ  Ｕｎｉｔ）の少なくとも１つである。記録部４０は、特定用途向け集積回路（ＡＳＩＣ）またはＦＰＧＡ（Ｆｉｅｌｄ−Ｐｒｏｇｒａｍｍａｂｌｅ  Ｇａｔｅ  Ａｒｒａｙ）で構成されてもよい。
【００４８】
例えば、処理情報、第１のＩＤ情報、および第２のＩＤ情報を含む１つのファイルが生成されることにより、各情報が関連付けられる。処理情報のデータを含むファイルの名称が、第１のＩＤ情報および第２のＩＤ情報を識別する文字列などの情報を含んでもよい。記録媒体５０に記録された複数の情報が互いに関連付けられている場合、１つの情報に基づいて、その情報に関連付けられた他の情報を特定することができる。
【００４９】
記録媒体５０は、不揮発性の記憶装置である。例えば、記録媒体５０は、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、フラッシュメモリ、およびハードディスクドライブの少なくとも１つである。記録媒体５０は、検査の現場に配置されなくてもよい。例えば、情報記録システム１０がネットワークインターフェースを有し、かつ情報記録システム１０が、インターネットおよびＬＡＮ（Ｌｏｃａｌ  Ａｒｅａ  Ｎｅｔｗｏｒｋ）などのネットワークを介して記録媒体５０と接続してもよい。情報記録システム１０が無線通信インターフェースを有し、かつ情報記録システム１０がＷｉ−Ｆｉ（登録商標）およびＢｌｕｅｔｏｏｔｈ（登録商標）などの規格に従った無線通信により記録媒体５０と接続してもよい。したがって、情報記録システム１０が記録媒体５０を直接的に含んでいなくてもよい。
【００５０】
情報記録システム１０は、通知部を有してもよい。例えば、通知部は、液晶ディスプレイなどの表示部である。例えば、表示部は、ＰＣ（Ｐｅｒｓｏｎａｌ  Ｃｏｍｐｕｔｅｒ）のモニタである。表示部は、ユーザが装着するスマートグラスなどのウェアラブルディスプレイであってもよい。表示部は、ＬＥＤ（Ｌｉｇｈｔ  Ｅｍｉｔｔｉｎｇ  Ｄｉｏｄｅ）などの発光デバイスであってもよい。通知部は、スピーカであってもよい。
【００５１】
例えば、対象物に対する処理が開始される前、通知部は、第１のＩＤ情報の読み取りをユーザに指示する。ユーザは、第１のＩＤ情報をＩＤ取得部３０に読み取らせる。ＩＤ取得部３０は、第１のＩＤ情報を取得する。第１のＩＤ情報が取得された後、通知部は、対象物に対する処理をユーザに指示する。所定時間が経過した後、あるいは処理の終了が検知された後、通知部は、第２のＩＤ情報の読み取りをユーザに指示する。ユーザは、第２のＩＤ情報をＩＤ取得部３０に読み取らせる。ＩＤ取得部３０は、第２のＩＤ情報を取得する。この場合、記録部４０は、第１の期間にＩＤ取得部３０によって取得されたＩＤ情報を第１のＩＤ情報として記録媒体５０に記録する。また、記録部４０は、第１の期間よりも後の第２の期間にＩＤ取得部３０によって取得されたＩＤ情報を第２のＩＤ情報として記録媒体５０に記録する。
【００５２】
図２は、情報記録システム１０による処理の手順を示す。図２を参照し、情報記録システム１０による処理の手順を説明する。
【００５３】
ＩＤ取得部３０は、第１のＩＤ情報を取得する（ステップＳ１００（ＩＤ取得ステップ））。ステップＳ１００の後、情報生成部２０は処理情報を生成する（ステップＳ１０５（情報生成ステップ）。ステップＳ１０５の後、ＩＤ取得部３０は、第２のＩＤ情報を取得する（ステップＳ１１０（ＩＤ取得ステップ））。ステップＳ１１０の後、記録部４０は、第１のＩＤ情報および第２のＩＤ情報を処理情報に関連付け、かつ処理情報、第１のＩＤ情報、および第２のＩＤ情報を記録媒体５０に記録する（ステップＳ１１５（記録ステップ））。
【００５４】
上記のように、処理情報、第１のＩＤ情報、および第２のＩＤ情報が関連付けられて記録媒体５０に記録される。処理情報に基づいて処理内容が特定できる。第１のＩＤ情報は、処理が行われる前の対象物に対応する。第２のＩＤ情報は、処理が行われた後の対象物に対応する。したがって、対象物および処理内容のいずれか１つからそれに関連付けられたその他の情報を特定できる。これにより、情報記録システム１０は、処理状況の妥当性の検証を支援することができる。
【００５５】
非常に多くの対象物が扱われる検査現場において、対象物の取り違えが発生しうる。例えば、対象物の取り違えは、ユーザが対象物を誤った容器に収納することにより発生する。ユーザは、対象物に対応するＩＤ情報に関連付けられた処理情報を確認することにより、対象物の取り違えが発生したか否かを確認することができる。例えば、処理情報が画像情報である場合、ユーザは、画像においてユーザが行った作業の状況を確認する。これにより、ユーザは対象物の取り違えの原因を確認することができる。対象物に対して複数の処理が行われた場合、ユーザは、ＩＤ情報に基づいて複数の処理の関係を把握することができる。したがって、ユーザは、特定の対象物に対して行われた複数の処理を特定することができる。ユーザは、各処理に対応する処理情報に基づいて、対象物の取り違えが発生したか否かを確認することができる。
【００５６】
処理情報が画像情報である場合、ユーザは、画像を確認することにより処理内容が正しいか否かを確認することができる。処理情報が、処理の種類を識別できる情報である場合、ユーザは、対象物に対して行われた処理の種類が正しいか否かを確認することができる。したがって、ユーザは、処理情報に基づいて処理内容の妥当性を検証することができる。
【００５７】
図３は、情報記録システム１０によって記録される情報の例を示す。図３を参照し、情報記録システム１０による処理の例を説明する。
【００５８】
処理１が行われる前、対象物ＯＢ１は容器ＣＴ１に収納されている。第１のＩＤ情報Ａが容器ＣＴ１に添付されている。ＩＤ取得部３０は、容器ＣＴ１に添付された第１のＩＤ情報Ａを取得する。情報生成部２０は、処理１に対応する処理情報Ｐ１を生成する。対象物ＯＢ１に対する処理１により、対象物ＯＢ２が生成される。処理１が行われた後、対象物ＯＢ２は容器ＣＴ２に収納される。第２のＩＤ情報Ｂが容器ＣＴ２に添付されている。ＩＤ取得部３０は、容器ＣＴ２に添付された第２のＩＤ情報Ｂを取得する。記録部４０は、第１のＩＤ情報Ａおよび第２のＩＤ情報Ｂを処理情報Ｐ１に関連付ける。記録部４０は、処理情報Ｐ１、第１のＩＤ情報Ａ、および第２のＩＤ情報Ｂが互いに関連付けられた情報ＩＮ１を記録媒体５０に記録する。
【００５９】
情報ＩＮ１は、互いに関連付けられた処理情報およびＩＤ情報を含む。例えば、処理情報Ｐ１の左側に第１のＩＤ情報Ａが記載され、かつ処理情報Ｐ１の右側に第２のＩＤ情報Ｂが記載されている。処理情報Ｐ１と第１のＩＤ情報Ａとの間の直線、および処理情報Ｐ１と第２のＩＤ情報Ｂとの間の直線は、各情報が関連付けられていることを示す。図３以外の図においても、情報ＩＮ１と同様の形式で情報の関連付けが示されている。記録形式はこれに限らない。関連付けが分かる限り、任意の記録形式が使用されてよい。通常のデータベースと同様に、これらの情報は１つのレコードとして、所定のフォーマットに従って記録されてもよい。
【００６０】
複数の処理が対象物に順次行われてもよい。情報生成部２０は、複数の処理の各々に対応する処理情報を生成する。ＩＤ取得部３０は、複数の処理の各々に対応する第１のＩＤ情報および第２のＩＤ情報を取得する。記録部４０は、複数の処理の各々に対応する第１のＩＤ情報および第２のＩＤ情報を複数の処理の各々の処理情報に関連付ける。記録部４０は、複数の処理の各々に対応する処理情報、第１のＩＤ情報、および第２のＩＤ情報を記録媒体５０に記録する。
【００６１】
図４は、情報記録システム１０によって記録される情報の例を示す。図４において、対象物に対して複数の処理が順次行われる例が示されている。図４を参照し、情報記録システム１０による処理の例を説明する。
【００６２】
対象物に対して処理１および処理２が行われる。処理１に関して情報記録システム１０が行う処理は、図３に示す処理と同様である。処理２が行われる前、対象物ＯＢ２は容器ＣＴ２に収納されている。第１のＩＤ情報Ｂが容器ＣＴ２に添付されている。ＩＤ取得部３０は、容器ＣＴ２に添付された第１のＩＤ情報Ｂを取得する。情報生成部２０は、処理２に対応する処理情報Ｐ２を生成する。対象物ＯＢ２に対する処理２により、対象物ＯＢ３および対象物ＯＢ４が生成される。
【００６３】
処理２が行われた後、対象物ＯＢ３は容器ＣＴ３に収納される。第２のＩＤ情報Ｃ１が容器ＣＴ３に添付されている。ＩＤ取得部３０は、容器ＣＴ３に添付された第２のＩＤ情報Ｃ１を取得する。記録部４０は、第１のＩＤ情報Ｂおよび第２のＩＤ情報Ｃ１を処理情報Ｐ２に関連付ける。記録部４０は、処理情報Ｐ２、第１のＩＤ情報Ｂ、および第２のＩＤ情報Ｃ１を関連付けて記録媒体５０に記録する。処理２が行われた後、対象物ＯＢ４は容器ＣＴ４に収納される。第２のＩＤ情報Ｃ２が容器ＣＴ４に添付されている。ＩＤ取得部３０は、容器ＣＴ４に添付された第２のＩＤ情報Ｃ２を取得する。記録部４０は、第１のＩＤ情報Ｂおよび第２のＩＤ情報Ｃ２を処理情報Ｐ２に関連付ける。記録部４０は、処理情報Ｐ２、第１のＩＤ情報Ｂ、および第２のＩＤ情報Ｃ２を関連付けて記録媒体５０に記録する。
【００６４】
ツリーＴＲ１は、記録媒体５０に記録された情報の関係を示す。処理１に関する情報は、処理情報Ｐ１、第１のＩＤ情報Ａ、および第２のＩＤ情報Ｂを含む。処理２に関する情報は、処理情報Ｐ２、第１のＩＤ情報Ｂ、第２のＩＤ情報Ｃ１、および第２のＩＤ情報Ｃ２を含む。対象物が処理により複数の対象物に分割される場合、記録部４０は、複数の対象物の各々に対応する第２のＩＤ情報を処理情報に共通に関連付ける。例えば、上記の例では、記録部４０は、第２のＩＤ情報Ｃ１および第２のＩＤ情報Ｃ２を処理情報Ｐ２に共通に関連付ける。
【００６５】
ツリーＴＲ１が示すように、対象物に対して行われる複数の処理の関係が記録される。ユーザは、記録媒体５０に記録された情報に基づいて、複数の処理の関係を把握することができる。したがって、ユーザは、特定の対象物に対して行われた複数の処理を特定することができる。ユーザは、各処理に対応する処理情報に基づいて処理プロセスの妥当性を検証することができる。
【００６６】
記録部４０は、処理が行われた時刻を示す時刻情報を処理情報に関連付け、かつ時刻情報を記録媒体５０に記録してもよい。
【００６７】
図５は、複数の処理の時間関係の例を示す。図５を参照し、情報記録システム１０によって記録される情報の第３の例を説明する。
【００６８】
図５において、対象物に対する処理が行われた期間が処理毎に示されている。図５における横方向は時間を示す。処理１の開始時刻はｔ１であり、かつ処理１の終了時刻はｔ２である。第１のＩＤ情報Ａおよび第２のＩＤ情報Ｂが処理１の処理情報Ｐ１に関連付けられる。処理２の開始時刻はｔ３であり、かつ処理２の終了時刻はｔ４である。時刻ｔ３は時刻ｔ２よりも時間的に遅い。処理２により２つの対象物が生成される。第１のＩＤ情報Ｂ、第２のＩＤ情報Ｃ１、および第２のＩＤ情報Ｃ２が処理２の処理情報Ｐ２に関連付けられる。処理３の開始時刻はｔ５であり、かつ処理３の終了時刻はｔ６である。時刻ｔ５は時刻ｔ４よりも時間的に遅い。第１のＩＤ情報Ｃ１および第２のＩＤ情報Ｄが処理３の処理情報Ｐ３に関連付けられる。処理４の開始時刻はｔ７であり、かつ処理４の終了時刻はｔ８である。時刻ｔ７は時刻ｔ４および時刻ｔ５よりも時間的に遅く、かつ時刻ｔ６よりも時間的に早い。時刻ｔ８は時刻ｔ６よりも時間的に早い。つまり、処理４が行われる期間は、処理３が行われる期間と重なる。第１のＩＤ情報Ｃ２および第２のＩＤ情報Ｅが処理４の処理情報Ｐ４に関連付けられる。
【００６９】
記録部４０は、処理１に関する処理情報Ｐ１、第１のＩＤ情報Ａ、第２のＩＤ情報Ｂ、時刻情報ｔ１、および時刻情報ｔ２を記録媒体５０に記録する。記録部４０は、処理２に関する処理情報Ｐ２、第１のＩＤ情報Ｂ、第２のＩＤ情報Ｃ１、第２のＩＤ情報Ｃ２、時刻情報ｔ３、および時刻情報ｔ４を記録媒体５０に記録する。記録部４０は、処理３に関する処理情報Ｐ３、第１のＩＤ情報Ｃ１、第２のＩＤ情報Ｄ、時刻情報ｔ５、および時刻情報ｔ６を記録媒体５０に記録する。記録部４０は、処理４に関する処理情報Ｐ４、第１のＩＤ情報Ｃ２、第２のＩＤ情報Ｅ、時刻情報ｔ７、および時刻情報ｔ８を記録媒体５０に記録する。例えば、処理情報が画像情報である場合、時刻情報はタグ情報として処理情報に付加される。ツリーＴＲ２は、記録媒体５０に記録された処理情報およびＩＤ情報の関係を示す。
【００７０】
例えば、処理が行われる前に対象物を収納する容器と、処理が行われた後に対象物を収納する容器とが同一である場合がある。連続する複数の処理の各々の前後において同一の容器が使用される場合であっても、情報記録システム１０は、時刻情報を記録することにより、対象物に対する処理の順番の特定を容易にする。
【００７１】
第１の実施形態において、記録部４０は、第１のＩＤ情報および第２のＩＤ情報を処理情報に関連付け、かつ処理情報、第１のＩＤ情報、および第２のＩＤ情報を記録媒体５０に記録する。このため、情報記録システム１０は、処理の妥当性の検証を支援することができる。処理情報が画像情報である場合、ユーザは処理内容の妥当性を検証することができる。
【００７２】
複数の処理が対象物に順次行われる場合、情報生成部２０は、複数の処理の各々に対応する処理情報を生成する。このため、ユーザは、各処理に対応する処理情報に基づいて処理プロセスの妥当性を検証することができる。
【００７３】
複数の処理が対象物に順次行われる場合、ＩＤ取得部３０は、複数の処理の各々に対応する第１のＩＤ情報および第２のＩＤ情報を取得する。このため、ユーザは、各処理に対応するＩＤ情報に基づいて複数の処理の関係を把握することができる。
【００７４】
第１の実施形態の１つの例において、記録部４０は、処理が行われた時刻を示す時刻情報を処理情報に関連付け、かつ時刻情報を記録媒体５０に記録する。これにより、情報記録システム１０は、対象物に対する処理の順番の特定を容易にする。
【００７５】
（第１の実施形態の第１の変形例）
図６は、本発明の第１の実施形態の第１の変形例の情報記録システム１０ａの構成を示す。図６に示す構成について、図１に示す構成と異なる点を説明する。
【００７６】
情報記録システム１０ａは、図１に示す情報記録システム１０の構成に加えて指示受付部６０（第１の指示受付部）を有する。指示受付部６０は、処理の開始に関する開始指示と、処理の終了に関する終了指示とを受け付ける。第１のＩＤ情報は、開始指示が受け付けられたタイミングに関連付けられたタイミングでＩＤ取得部３０によって取得されたＩＤ情報である。第２のＩＤ情報は、終了指示が受け付けられたタイミングに関連付けられたタイミングでＩＤ取得部３０によって取得されたＩＤ情報である。
【００７７】
例えば、指示受付部６０は、操作部として構成されている。例えば、操作部は、ボタン、スイッチ、キー、マウス、ジョイスティック、タッチパッド、トラックボール、およびタッチパネルの少なくとも１つを含んで構成される。操作部は、ユーザによって所定の操作が行われたときに指示を受け付ける。指示受付部６０は、操作部と無線通信を行う無線通信部として構成されてもよい。無線通信部は、発振器などの無線回路と、アンテナとを有する。無線通信部は、指示を示す情報が受信されたときに指示を受け付ける。指示受付部６０は、開始指示を受け付ける第１の指示受付部と、終了指示を受け付ける第２の指示受付部とを有してもよい。
【００７８】
例えば、記録部４０は、指示受付部６０が開始指示を受け付けたタイミングから指示受付部６０が終了指示を受け付けたタイミングまでにＩＤ取得部３０によって取得されたＩＤ情報を第１のＩＤ情報として認識する。記録部４０は、指示受付部６０が開始指示を受け付けたタイミングから所定時間以内にＩＤ取得部３０によって取得されたＩＤ情報を第１のＩＤ情報として認識してもよい。ＩＤ取得部３０が複数のＩＤ情報を取得し、かつ記録部４０が複数のＩＤ情報を複数の第１のＩＤ情報として認識してもよい。
【００７９】
例えば、記録部４０は、指示受付部６０が終了指示を受け付けた後にＩＤ取得部３０によって取得されたＩＤ情報を第２のＩＤ情報として認識する。記録部４０は、指示受付部６０が終了指示を受け付けたタイミングから所定時間以内にＩＤ取得部３０によって取得されたＩＤ情報を第２のＩＤ情報として認識してもよい。ＩＤ取得部３０が複数のＩＤ情報を取得し、かつ記録部４０が複数のＩＤ情報を複数の第２のＩＤ情報として認識してもよい。
【００８０】
指示受付部６０は、ＩＤ取得部３０と一体化されてもよい。ＩＤ取得部３０は、指示受付部６０が開始指示を受け付けたタイミングから指示受付部６０が終了指示を受け付けたタイミングまでに取得されたＩＤ情報を第１のＩＤ情報として出力する。ＩＤ取得部３０は、複数のＩＤ情報を取得し、かつ複数のＩＤ情報を複数の第１のＩＤ情報として出力してもよい。ＩＤ取得部３０は、指示受付部６０が終了指示を受け付けた後に取得されたＩＤ情報を第２のＩＤ情報として出力する。ＩＤ取得部３０は、複数のＩＤ情報を取得し、かつ複数のＩＤ情報を複数の第２のＩＤ情報として出力してもよい。
【００８１】
記録部４０は、指示受付部６０が開始指示を受け付けたタイミングから指示受付部６０が終了指示を受け付けたタイミングまでに情報生成部２０によって生成された処理情報に対して、上記の第１のＩＤ情報および第２のＩＤ情報を関連付けてもよい。複数の処理が連続的に行われ、かつ情報生成部２０が処理情報を連続的に生成する場合、情報記録システム１０ａは、各処理の開始指示および終了指示に基づく処理情報を記録することができる。
【００８２】
例えば、指示受付部６０およびＩＤ取得部３０は、処理装置と連携して動作するコードスキャナとして構成される。処理装置が処理を開始する前にコードスキャナによって読み取られた情報が第１のＩＤ情報として取得される。また、処理装置が処理を終了した後にコードスキャナによって読み取られた情報が第２のＩＤ情報として取得される。第１のＩＤ情報および第２のＩＤ情報は、処理情報と関連付けられて記録される。
【００８３】
上記以外の点について、図６に示す構成は、図１に示す構成と同様である。
【００８４】
図７は、情報記録システム１０ａによる処理の手順を示す。図７に示す処理について、図２に示す処理と異なる点を説明する。
【００８５】
指示受付部６０は、開始指示を受け付ける（ステップＳ１２０（開始指示受付ステップ））。ステップＳ１２０の後、ステップＳ１００における処理が行われる。ステップＳ１０５の後、指示受付部６０は、終了指示を受け付ける（ステップＳ１２５（終了指示受付ステップ））。ステップＳ１２５の後、ステップＳ１１０における処理が行われる。
【００８６】
上記以外の点について、図７に示す処理は、図２に示す処理と同様である。
【００８７】
上記のように、指示受付部６０は、開始指示および終了指示を受け付ける。これにより、ＩＤ取得部３０は、第１のＩＤ情報および第２のＩＤ情報をユーザの意図に合うように確実に取得することができる。
【００８８】
（第１の実施形態の第２の変形例）
図８は、本発明の第１の実施形態の第２の変形例の情報記録システム１０ｂの構成を示す。図８に示す構成について、図１に示す構成と異なる点を説明する。
【００８９】
情報記録システム１０ｂにおいて、図１に示すＩＤ取得部３０がＩＤ取得部３０ｂに変更される。ＩＤ取得部３０ｂは、第１のＩＤ取得部３００および第２のＩＤ取得部３０１を有する。第１のＩＤ取得部３００は、第１のＩＤ情報を取得する。第２のＩＤ取得部３０１は、第１のＩＤ取得部３００と異なり、かつ第２のＩＤ情報を取得する。
【００９０】
例えば、第１のＩＤ取得部３００は、容器に添付された番号ラベルを読み取るカメラである。例えば、第２のＩＤ取得部３０１は、カートリッジに添付された無線タグからＩＤを読み取るＲＦＩＤリーダである。
【００９１】
上記以外の点について、図８に示す構成は、図１に示す構成と同様である。
【００９２】
上記のように、ＩＤ取得部３０ｂは、第１のＩＤ取得部３００および第２のＩＤ取得部３０１を有する。これにより、ＩＤ取得部３０は、第１のＩＤ情報および第２のＩＤ情報をそれぞれ独立に取得することができる。
【００９３】
（第１の実施形態の第３の変形例）
図９は、本発明の第１の実施形態の第３の変形例の情報記録システム１０ｃの構成を示す。図９に示す構成について、図１に示す構成と異なる点を説明する。
【００９４】
情報記録システム１０ｃにおいて、図１に示すＩＤ取得部３０がＩＤ取得部３０ｃに変更される。ＩＤ取得部３０ｃは、カメラ３０２および画像処理部３０３を有する。カメラ３０２は、対象物および容器の少なくとも１つを撮影することにより画像情報を生成する。画像処理部３０３は、カメラ３０２によって生成された画像情報に対して画像処理を行うことによりＩＤ情報を取得する。
【００９５】
対象物および容器の少なくとも１つの表面において、ＩＤ情報は視認できる。例えば、ＩＤ情報が記載された印刷物が対象物および容器の少なくとも１つの表面に添付される。カメラ３０２は、ＩＤ情報を視認できる画像情報を生成する。例えば、画像処理部３０３は、カメラ３０２によって生成された画像情報と、所定のＩＤ情報に対応する画像情報とを照合することにより、ＩＤ情報を取得する。例えば、所定のＩＤ情報に対応する画像情報は、記録媒体５０に予め記録されている。
【００９６】
記録部４０は、カメラ３０２によって生成された画像情報をＩＤ情報として記録媒体５０に記録してもよい。この場合、ＩＤ取得部３０ｃは画像処理部３０３を有していなくてもよい。例えば、記録部４０は、ＩＤ情報が撮影された１フレームの画像情報をＩＤ情報として記録媒体５０に記録する。記録媒体５０に記録される画像情報は、１フレームの画像情報を縮小したサムネールであってもよい。情報生成部２０は、カメラ３０２と異なるカメラを有してもよい。
【００９７】
上記以外の点について、図９に示す構成は、図１に示す構成と同様である。
【００９８】
上記のように、ＩＤ取得部３０ｃは、カメラ３０２を有する。これにより、情報記録システム１０ｃを簡単に構成することができる。
【００９９】
（第１の実施形態の第４の変形例）
図１０は、本発明の第１の実施形態の第４の変形例の情報記録システム１０ｄの構成を示す。図１０に示す構成について、図１に示す構成と異なる点を説明する。
【０１００】
情報記録システム１０ｄにおいて、図１に示す情報生成部２０が情報生成部２０ｄに変更され、かつ図１に示すＩＤ取得部３０がＩＤ取得部３０ｃに変更される。情報生成部２０ｄは、カメラ３０２を有する。ＩＤ取得部３０ｃは、図９に示すＩＤ取得部３０ｃと同様に構成されている。カメラ３０２は、対象物および容器の少なくとも１つと処理の様子とを撮影することにより画像情報を生成する。カメラ３０２は、情報生成部２０ｄおよびＩＤ取得部３０ｃに対して共通である。
【０１０１】
上記以外の点について、図１０に示す構成は、図１に示す構成と同様である。
【０１０２】
図１１は、情報記録システム１０ｄによる処理の手順を示す。図１１に示す処理について、図２に示す処理と異なる点を説明する。
【０１０３】
カメラ３０２は、対象物および容器の少なくとも１つと処理の様子とを撮影することにより画像情報を生成する（ステップＳ１３０（情報生成ステップ））。例えば、カメラ３０２は、対象物とその周辺とを撮影し、かつ動画情報を生成する。動画情報は、互いに異なる時刻に生成された複数フレームの画像情報を含む。カメラ３０２によって生成された動画情報は、第１から第３の画像情報を含む。第１の画像情報は、第１のＩＤ情報が記録されたフレームの画像情報である。第２の画像情報は、対象物に対する処理の様子が記録されたフレームの画像情報である。第２の画像情報は、処理情報を構成する。第３の画像情報は、第２のＩＤ情報が記録されたフレームの画像情報である。画像処理部３０３は、第２の画像情報を処理情報として出力する。または、画像処理部３０３は、第１から第３の画像情報を含む動画情報の全体を処理情報として出力する。
【０１０４】
ステップＳ１３０の後、画像処理部３０３は、カメラ３０２によって生成された画像情報すなわち第１の画像情報に対して画像処理を行うことにより第１のＩＤ情報を取得する（ステップＳ１００ｄ（ＩＤ取得ステップ））。ステップＳ１００ｄの後、画像処理部３０３は、カメラ３０２によって生成された画像情報すなわち第３の画像情報に対して画像処理を行うことにより第２のＩＤ情報を取得する（ステップＳ１１０ｄ（ＩＤ取得ステップ））。ステップＳ１１０ｄの後、ステップＳ１１５における処理が行われる。
【０１０５】
上記以外の点について、図１１に示す処理は、図２に示す処理と同様である。
【０１０６】
第１のＩＤ情報および第２のＩＤ情報が生成される第１の例を説明する。図１２は、カメラ３０２によって生成される画像情報の例を示す。カメラ３０２は、動画情報を生成する。動画情報を構成する複数フレームの画像情報のうち代表的なフレームの画像情報が図１２に示されている。
【０１０７】
対象物ＯＢ３に対する処理が行われる前に画像情報Ｇ１０が生成される。画像情報Ｇ１０は、対象物ＯＢ３および容器ＣＴ３の画像を示す。対象物ＯＢ３は容器ＣＴ３に収納されている。第１のＩＤ情報に対応するコードＣＤ１が容器ＣＴ３に添付されている。画像処理部３０３は、画像情報Ｇ１０に対して画像処理を行うことにより第１のＩＤ情報を取得する。記録部４０は、画像情報Ｇ１０を第１のＩＤ情報として記録媒体５０に記録してもよい。
【０１０８】
画像情報Ｇ１０が生成された後、画像情報Ｇ１１が生成される。画像情報Ｇ１１は、対象物ＯＢ３が容器ＣＴ３から取り出されるまでの状態を示す画像情報である。図１２では、対象物ＯＢ３が容器ＣＴ３から取り出された後の現場の画像が示されている。
【０１０９】
対象物ＯＢ３に対する処理が開始された後、画像情報Ｇ１２が生成される。対象物ＯＢ３に対する処理により、対象物ＯＢ４が生成される。画像情報Ｇ１２は、対象物ＯＢ３に対する処理によって、対象物ＯＢ４が生成されるまでの状態を示す画像情報である。図１２では、対象物ＯＢ４が生成された後の画像が示されている。
【０１１０】
対象物ＯＢ４が生成された後、画像情報Ｇ１３が生成される。画像情報Ｇ１３は、対象物ＯＢ４が容器ＣＴ４に収納されるまでの状態を示す画像情報である。図１２では、対象物ＯＢ４が容器ＣＴ４に収納された後の現場の画像が示されている。第２のＩＤ情報に対応するコードＣＤ２が容器ＣＴ４に添付されている。
【０１１１】
画像情報Ｇ１３が生成された後、画像情報Ｇ１４が生成される。画像情報Ｇ１４は、対象物ＯＢ４および容器ＣＴ４の画像を示す。画像処理部３０３は、画像情報Ｇ１４に対して画像処理を行うことにより第２のＩＤ情報を取得する。記録部４０は、画像情報Ｇ１４を第２のＩＤ情報として記録媒体５０に記録してもよい。
【０１１２】
画像情報Ｇ１０から画像情報Ｇ１４を含む動画情報が処理情報として記録媒体５０に記録される。対象物ＯＢ３に対する処理が開始されたタイミングから、処理が完了し、かつ対象物ＯＢ４が生成されたタイミングまでの処理期間のみの動画情報が処理情報として記録媒体５０に記録されてもよい。
【０１１３】
第１のＩＤ情報および第２のＩＤ情報が生成される第２の例を説明する。画像処理部３０３は、画像情報における第１の領域から第１のＩＤ情報を取得する。画像処理部３０３は、画像情報において第１の領域と異なる第２の領域から第２のＩＤ情報を取得する。
【０１１４】
図１３は、対象物に対する処理が行われる現場を模式的に示す。対象物に対する処理が行われる場所ＰＬ１は、エリアＡ１、エリアＡ２、およびエリアＡ３を含む。エリアＡ１は、処理が開始される前に対象物が収納された容器ＣＴ５が配置される領域である。エリアＡ２は、処理が終了した後に対象物が収納される容器ＣＴ６が配置される領域である。エリアＡ３は、対象物が配置され、かつその対象物に対する処理が行われる領域である。第１のＩＤ情報１Ａに対応するコードＣＤ３が容器ＣＴ５に添付されている。第２のＩＤ情報１Ｂに対応するコードＣＤ４が容器ＣＴ６に添付されている。エリアＡ１、エリアＡ２、およびエリアＡ３は、予め決定されている。
【０１１５】
カメラ３０２は、エリアＡ１、エリアＡ２、およびエリアＡ３を撮影範囲に含むように配置される。カメラ３０２によって生成された画像情報において、領域Ｒ１、領域Ｒ２、および領域Ｒ３が設定される。領域Ｒ１は、エリアＡ１に配置される容器に添付されたコードを認識できるように設定される。すなわち容器ＣＴ５がエリアＡ１に配置されたときの画像において、コードＣＤ３は領域Ｒ１に位置する。領域Ｒ２は、エリアＡ２に配置される容器に添付されたコードを認識できるように設定される。すなわち容器ＣＴ６がエリアＡ２に配置されたときの画像において、コードＣＤ４は領域Ｒ２に位置する。領域Ｒ３は、エリアＡ３での処理の様子が認識できるように設定される。
【０１１６】
領域Ｒ１は、第１の領域に対応する。画像処理部３０３は、領域Ｒ１の画像情報を処理することにより、第１のＩＤ情報を取得する。領域Ｒ２は、第２の領域に対応する。画像処理部３０３は、領域Ｒ２の画像情報を処理することにより、第２のＩＤ情報を取得する。
【０１１７】
情報記録システム１０ｄは、通知部を有してもよい。例えば、対象物に対する処理が開始される前、通知部は、容器ＣＴ５のエリアＡ１への配置をユーザに指示する。対象物に対する処理が終了した後、通知部は、容器ＣＴ６のエリアＡ２への配置をユーザに指示する。
【０１１８】
情報生成部２０ｄは、画像処理部３０３を有してもよい。画像処理部３０３は、カメラ３０２によって生成された画像情報から領域Ｒ３の画像情報を抽出することにより処理情報を生成してもよい。
【０１１９】
第１のＩＤ情報および第２のＩＤ情報が生成される第３の例を説明する。画像情報においてＩＤ情報の第１の動きが認識された場合、画像処理部３０３は、ＩＤ情報を第１のＩＤ情報として取得する。画像情報においてＩＤ情報の第２の動きが認識された場合、画像処理部３０３は、ＩＤ情報を第２のＩＤ情報として取得する。第２の動きは、第１の動きと異なる。
【０１２０】
図１４は、カメラ３０２によって生成された画像情報Ｇ１５を示す。画像情報Ｇ１５は、対象物に対する処理が行われる場所の全体の画像を示す。対象物に対する処理が行われる前、対象物は容器ＣＴ７に収納されている。第１のＩＤ情報１Ａに対応するコードＣＤ５が容器ＣＴ７に添付されている。対象物に対する処理が行われた後、対象物は容器ＣＴ８に収納される。第２のＩＤ情報１Ｂに対応するコードＣＤ６が容器ＣＴ８に添付されている。
【０１２１】
画像処理部３０３は、画像情報Ｇ１５からコードＣＤ５およびコードＣＤ６を認識する。画像処理部３０３は、画像情報Ｇ１５を含む複数の画像情報に基づいてコードＣＤ５およびコードＣＤ６の動きを認識する。例えば、画像処理部３０３は、コードＣＤ５およびコードＣＤ６の動きベクトルを算出する。矢印Ａ１が示すように、コードＣＤ５が添付された容器ＣＴ７は、カメラ３０２の撮影範囲の外から撮影範囲の中に運ばれる。コードＣＤ５がカメラ３０２の撮影範囲の外から撮影範囲の中に移動する動きが認識された場合、画像処理部３０３は、コードＣＤ５を第１のＩＤ情報として取得する。矢印Ａ２が示すように、コードＣＤ６が添付された容器ＣＴ８は、カメラ３０２の撮影範囲の中から撮影範囲の外に運ばれる。コードＣＤ６がカメラ３０２の撮影範囲の中から撮影範囲の外に移動する動きが認識された場合、画像処理部３０３は、コードＣＤ６を第２のＩＤ情報として取得する。
【０１２２】
第１の動きは第１の方向の動きであり、かつ第２の動きは第１の方向と異なる第２の方向の動きであってもよい。画像情報において第１の方向におけるＩＤ情報の動きが認識された場合、画像処理部３０３は、ＩＤ情報を第１のＩＤ情報として取得してもよい。画像情報において第２の方向におけるＩＤ情報の動きが認識された場合、画像処理部３０３は、ＩＤ情報を第２のＩＤ情報として取得してもよい。
【０１２３】
上記のように、情報生成部２０ｄおよびＩＤ取得部３０ｃは、カメラ３０２を有する。これにより、情報記録システム１０ｄを簡単に構成することができる。
【０１２４】
（第１の実施形態の第５の変形例）
図１５は、本発明の第１の実施形態の第５の変形例の情報記録システム１０ｅの構成を示す。図１５に示す構成について、図１に示す構成と異なる点を説明する。
【０１２５】
情報記録システム１０ｅにおいて、図１に示すＩＤ取得部３０がＩＤ取得部３０ｅに変更される。ＩＤ取得部３０ｅは、音声取得部３０４および音声処理部３０５を有する。音声取得部３０４は、処理を行うユーザが発した音声に基づく音声情報を取得する。音声処理部３０５は、音声取得部３０４によって取得された音声情報に基づいてＩＤ情報を認識する。
【０１２６】
例えば、音声取得部３０４は、マイクである。音声取得部３０４は、ユーザが装着するウェアラブルマイクであってもよい。ウェアラブルマイクは、観察者の口の近傍に装着される。例えば、音声処理部３０５は、音声処理を行う音声処理回路を含む。
【０１２７】
上記以外の点について、図１５に示す構成は、図１に示す構成と同様である。
【０１２８】
上記のようにＩＤ取得部３０ｅは、音声取得部３０４および音声処理部３０５を有する。これにより、情報記録システム１０ｅはユーザの音声に基づくＩＤを取得することができる。
【０１２９】
（第２の実施形態）
図１６は、本発明の第２の実施形態の情報記録システム１１の構成を示す。図１６に示す構成について、図１に示す構成と異なる点を説明する。
【０１３０】
情報記録システム１１は、図１に示す情報記録システム１０の構成に加えて指示受付部６１（第２の指示受付部）、読み出し部７０、および表示部８０を有する。指示受付部６１は、第１のＩＤ情報および第２のＩＤ情報の少なくとも１つを指定する指示を受け付ける。読み出し部７０は、指示に対応する第１のＩＤ情報および第２のＩＤ情報の少なくとも１つに関連付けられた処理情報と、処理情報に関連付けられた第１のＩＤ情報および第２のＩＤ情報とを記録媒体５０から読み出す。表示部８０は、読み出し部７０によって読み出された処理情報、第１のＩＤ情報、および第２のＩＤ情報を表示する。
【０１３１】
例えば、指示受付部６１は、操作部として構成されている。例えば、操作部は、コードスキャナ、ＲＦＩＤリーダ、キーボード、マウス、タッチパッド、トラックボール、およびタッチパネルの少なくとも１つを含んで構成される。指示受付部６１は、操作部と無線通信を行う無線通信部として構成されてもよい。
【０１３２】
例えば、読み出し部７０は、情報の読み出し処理を行う読み出し処理回路を含む。記録媒体５０に記録された処理情報、第１のＩＤ情報、および第２のＩＤ情報の少なくとも１つは圧縮されてもよい。したがって、読み出し部７０は、圧縮された情報を伸張するための伸張処理回路を含んでもよい。読み出し部７０は、読み出し処理および伸張処理のためのバッファを含んでもよい。読み出し部７０は、１つまたは複数のプロセッサで構成されてもよい。読み出し部７０は、ＡＳＩＣまたはＦＰＧＡで構成されてもよい。
【０１３３】
表示部８０は、液晶ディスプレイなどの表示機器である。例えば、表示部８０は、ＰＣのモニタである。表示部８０は、ウェアラブルディスプレイであってもよい。処理情報が画像情報である場合、表示部８０は、１フレームの画像情報を縮小したサムネールを表示してもよい。表示部８０は、第１のＩＤ情報および第２のＩＤ情報の少なくとも１つが記録されたサムネールを表示してもよい。
【０１３４】
上記以外の点について、図１６に示す構成は、図１に示す構成と同様である。
【０１３５】
情報記録システム１１は、図２に示す処理を行う。図２に示す処理が終了した後、情報記録システム１１は、図１７に示す処理を行う。図１７は、情報記録システム１１による処理の手順を示す。図１７を参照し、情報記録システム１１による処理の手順を説明する。
【０１３６】
指示受付部６１は、第１のＩＤ情報および第２のＩＤ情報の少なくとも１つを指定する指示を受け付ける（ステップＳ２００（指示受付ステップ））。ステップＳ２００の後、読み出し部７０は、指示受付部６１によって受け付けられた指示に対応する第１のＩＤ情報および第２のＩＤ情報の少なくとも１つに関連付けられた処理情報を記録媒体５０から読み出す。また、読み出し部７０は、その処理情報に関連付けられた第１のＩＤ情報および第２のＩＤ情報を記録媒体５０から読み出す（ステップＳ２０５（読み出しステップ））。ステップＳ２０５の後、表示部８０は、読み出し部７０によって読み出された処理情報、第１のＩＤ情報、および第２のＩＤ情報を表示する（ステップＳ２１０（表示ステップ））。
【０１３７】
記録媒体５０から情報が読み出される第１の例を説明する。図１８は、情報記録システム１１によって読み出される情報の例を示す。図１８を参照し、情報記録システム１１による処理の例を説明する。
【０１３８】
ツリーＴＲ３に示す情報が記録媒体５０に記録されている。処理情報Ｐ１、第１のＩＤ情報Ａ、および第２のＩＤ情報Ｂが記録媒体５０に記録されている。処理情報Ｐ２、第１のＩＤ情報Ｂ、第２のＩＤ情報Ｃ１、および第２のＩＤ情報Ｃ２が記録媒体５０に記録されている。
【０１３９】
例えば、指示受付部６１は、第２のＩＤ情報Ｃ１を指定する指示を受け付ける。読み出し部７０は、指示に対応する第２のＩＤ情報Ｃ１に関連付けられた処理情報Ｐ２を記録媒体５０から読み出す。また、読み出し部７０は、処理情報Ｐ２に関連付けられた第１のＩＤ情報Ｂおよび第２のＩＤ情報Ｃ１を記録媒体５０から読み出す。
【０１４０】
指示受付部６１がＩＤ情報Ｂを第２のＩＤ情報として指定する指示を受け付けたとき、読み出し部７０は、その指示に対応する第２のＩＤ情報Ｂに関連付けられた処理情報Ｐ１を記録媒体５０から読み出す。また、読み出し部７０は、処理情報Ｐ１に関連付けられた第１のＩＤ情報Ａおよび第２のＩＤ情報Ｂを記録媒体５０から読み出す。
【０１４１】
指示受付部６１がＩＤ情報Ｂを第１のＩＤ情報として指定する指示を受け付けたとき、読み出し部７０は、その指示に対応する第１のＩＤ情報Ｂに関連付けられた処理情報Ｐ２を記録媒体５０から読み出す。また、読み出し部７０は、処理情報Ｐ２に関連付けられた第１のＩＤ情報Ｂ、第２のＩＤ情報Ｃ１、および第２のＩＤ情報Ｃ２を記録媒体５０から読み出す。
【０１４２】
ＩＤ情報Ｂは、第１のＩＤ情報および第２のＩＤ情報として使用されている。ＩＤ情報Ｂが第１のＩＤ情報および第２のＩＤ情報のどちらであるのかを指定する指示が受け付けられなくてもよい。ＩＤ情報Ｂが指定されたとき、読み出し部７０は、ＩＤ情報Ｂが第１のＩＤ情報として指定されたときの情報と、ＩＤ情報Ｂが第２のＩＤ情報として指定されたときの情報とを記録媒体５０から読み出してもよい。
【０１４３】
記録媒体５０から情報が読み出される第２の例を説明する。図１９は、情報記録システム１１によって読み出される情報の例を示す。図１９を参照し、情報記録システム１１による処理の例を説明する。
【０１４４】
情報ＩＮ２が記録媒体５０に記録されている。情報ＩＮ２は、処理１に対応する処理情報Ｐ１、これに関連付けられる第１のＩＤ情報Ａ、および第２のＩＤ情報Ｂを含む。処理情報Ｐ１は、画像情報ｉｍａｇｅ１で構成されている。第１のＩＤ情報Ａおよび第２のＩＤ情報Ｂが画像情報ｉｍａｇｅ１に付加されている。また、情報ＩＮ２は、処理２に対応する処理情報Ｐ２、これに関連付けられる第１のＩＤ情報Ｂ、第２のＩＤ情報Ｃ１、および第２のＩＤ情報Ｃ２を含む。処理情報Ｐ２は、画像情報ｉｍａｇｅ２で構成されている。第１のＩＤ情報Ｂ、第２のＩＤ情報Ｃ１、および第２のＩＤ情報Ｃ２が画像情報ｉｍａｇｅ２に付加されている。
【０１４５】
例えば、指示受付部６１は、ＩＤ情報Ｂを指定する指示を受け付ける。ＩＤ情報Ｂは、画像情報ｉｍａｇｅ１（処理情報Ｐ１）に関連付けられた第２のＩＤ情報Ｂとして記録媒体５０に記録されている。読み出し部７０は、指示に対応する第２のＩＤ情報Ｂに関連付けられた画像情報ｉｍａｇｅ１を記録媒体５０から読み出す。また、読み出し部７０は、画像情報ｉｍａｇｅ１に関連付けられた第１のＩＤ情報Ａおよび第２のＩＤ情報Ｂを記録媒体５０から読み出す。また、ＩＤ情報Ｂは、画像情報ｉｍａｇｅ２（処理情報Ｐ２）に関連付けられた第１のＩＤ情報Ｂとして記録媒体５０に記録されている。読み出し部７０は、指示に対応するＩＤ情報Ｂに関連付けられた画像情報ｉｍａｇｅ２を記録媒体５０から読み出す。また、読み出し部７０は、画像情報ｉｍａｇｅ２に関連付けられた第１のＩＤ情報Ｂ、第２のＩＤ情報Ｃ１、および第２のＩＤ情報Ｃ２を記録媒体５０から読み出す。
【０１４６】
情報生成部２０がカメラであり、かつカメラが動画情報を生成する場合、記録部４０は、カメラによる動画情報の生成と並行して動画情報を処理情報として記録媒体５０に記録してもよい。対象物に対して処理が行われているとき、指示受付部６１は第１のＩＤ情報を指定する指示を受け付けてもよい。このとき、読み出し部７０は、指示受付部６１によって指示が受け付けられたタイミングまでに記録媒体５０に記録された処理情報を記録媒体５０から読み出す。この処理情報は、処理が開始されたタイミングから指示受付部６１によって指示が受け付けられたタイミングまでに生成された動画情報である。読み出し部７０は、指示受付部６１によって指示が受け付けられたタイミングに記録媒体５０に記録された処理情報を記録媒体５０から読み出してもよい。この処理情報は、指示受付部６１によって指示が受け付けられたタイミングに生成された１フレームの画像情報である。ユーザは、指示受付部６１によって指示が受け付けられたタイミングの直前の処理内容を確認することができる。
【０１４７】
記録媒体５０から情報が読み出される第３の例を説明する。指示受付部６１によって、第２のＩＤ情報を指定する指示が受け付けられた場合、読み出し部７０は、指示に対応する第２のＩＤ情報に関連付けられた第１の処理情報を記録媒体５０から読み出す。また、読み出し部７０は、第１の処理情報に関連付けられた第１のＩＤ情報および第２のＩＤ情報を記録媒体５０から読み出す。読み出し部７０はさらに、第１の処理情報に関連付けられた第１のＩＤ情報と同一の第２のＩＤ情報に関連付けられた第２の処理情報を記録媒体５０から読み出す。また、読み出し部７０は、第２の処理情報に関連付けられた第１のＩＤ情報および第２のＩＤ情報を記録媒体５０から読み出す。
【０１４８】
第１のＩＤ情報と同一の第２のＩＤ情報が発見されなくなるまで、読み出し部７０は、上記の処理を繰り返す。複数の第１のＩＤ情報が１つの処理情報に関連付けられている場合、読み出し部７０は、複数の第１のＩＤ情報の各々を記録媒体５０から読み出してもよい。例えば、複数の対象物を合成することにより新たな対象物が生成される場合、複数の第１のＩＤ情報が処理情報に関連付けられる。読み出し部７０は、複数の第１のＩＤ情報の各々と同一の第２のＩＤ情報に関連付けられた第２の処理情報を記録媒体５０から読み出す。
【０１４９】
図２０は、情報記録システム１１によって読み出される情報の例を示す。図２０を参照し、情報記録システム１１による処理の例を説明する。
【０１５０】
ツリーＴＲ４に示す情報が記録媒体５０に記録されている。処理情報Ｐ１、それに関連付けられた第１のＩＤ情報Ａ、および第２のＩＤ情報Ｂが記録媒体５０に記録されている。同様に、処理情報Ｐ２、第１のＩＤ情報Ｂ、第２のＩＤ情報Ｃ１、および第２のＩＤ情報Ｃ２が記録媒体５０に記録されている。処理情報Ｐ３、第１のＩＤ情報Ｃ１、第２のＩＤ情報Ｄ１、および第２のＩＤ情報Ｄ２が記録媒体５０に記録されている。処理情報Ｐ４、第１のＩＤ情報Ｃ２、第２のＩＤ情報Ｅ１、第２のＩＤ情報Ｅ２、および第２のＩＤ情報Ｅ３が記録媒体５０に記録されている。処理情報Ｐ５、第１のＩＤ情報Ｄ１、第２のＩＤ情報Ｆ１、および第２のＩＤ情報Ｆ２が記録媒体５０に記録されている。処理情報Ｐ６、第１のＩＤ情報Ｄ２、および第２のＩＤ情報Ｇ１が記録媒体５０に記録されている。処理情報Ｐ７、第１のＩＤ情報Ｅ１、第２のＩＤ情報Ｈ１、および第２のＩＤ情報Ｈ２が記録媒体５０に記録されている。処理情報Ｐ８、第１のＩＤ情報Ｅ２、および第２のＩＤ情報Ｉ１が記録媒体５０に記録されている。処理情報Ｐ９、第１のＩＤ情報Ｅ３、および第２のＩＤ情報Ｊ１が記録媒体５０に記録されている。
【０１５１】
例えば、指示受付部６１は、第２のＩＤ情報Ｈ２を指定する指示を受け付ける。読み出し部７０は、指示に対応する第２のＩＤ情報Ｈ２に関連付けられた処理情報Ｐ７を記録媒体５０から読み出す。また、読み出し部７０は、処理情報Ｐ７に関連付けられた第１のＩＤ情報Ｅ１および第２のＩＤ情報Ｈ２を記録媒体５０から読み出す。読み出し部７０はさらに、処理情報Ｐ７に関連付けられた第１のＩＤ情報Ｅ１と同一の第２のＩＤ情報Ｅ１に関連付けられた処理情報Ｐ４を記録媒体５０から読み出す。また、読み出し部７０は、処理情報Ｐ４に関連付けられた第１のＩＤ情報Ｃ２および第２のＩＤ情報Ｅ１を記録媒体５０から読み出す。
【０１５２】
読み出し部７０は、上記と同様の処理を繰り返す。これにより、読み出し部７０は、処理情報Ｐ２、第１のＩＤ情報Ｂ、および第２のＩＤ情報Ｃ２を記録媒体５０から読み出す。また、読み出し部７０は、処理情報Ｐ１、第１のＩＤ情報Ａ、および第２のＩＤ情報Ｂを記録媒体５０から読み出す。上記の処理により、読み出し部７０は、情報ＩＮ３を記録媒体５０から読み出す。
【０１５３】
このように、読み出し部７０は、第２のＩＤ情報を指定する指示に基づいて、その対象物がどのような処理プロセスを経て得られたのかを示す情報を読み出すことができる。
【０１５４】
情報記録システム１１は、以下の処理を行ってもよい。指示受付部６１によって、第１のＩＤ情報を指定する指示が受け付けられた場合、読み出し部７０は、指示に対応する第１のＩＤ情報に関連付けられた第１の処理情報を記録媒体５０から読み出す。また、読み出し部７０は、第１の処理情報に関連付けられた第１のＩＤ情報および第２のＩＤ情報を記録媒体５０から読み出す。読み出し部７０はさらに、第１の処理情報に関連付けられた第２のＩＤ情報と同一の第１のＩＤ情報に関連付けられた第２の処理情報を記録媒体５０から読み出す。また、読み出し部７０は、第２の処理情報に関連付けられた第１のＩＤ情報および第２のＩＤ情報を記録媒体５０から読み出す。
【０１５５】
第２のＩＤ情報と同一の第１のＩＤ情報が発見されなくなるまで、読み出し部７０は、上記の処理を繰り返す。複数の第２のＩＤ情報が１つの処理情報に関連付けられている場合、読み出し部７０は、複数の第２のＩＤ情報の各々を記録媒体５０から読み出してもよい。例えば、対象物に対する処理により対象物が分割される場合、複数の第２のＩＤ情報が処理情報に関連付けられる。読み出し部７０は、複数の第２のＩＤ情報の各々と同一の第１のＩＤ情報に関連付けられた第２の処理情報を記録媒体５０から読み出す。
【０１５６】
例えば、図２０に示す例において、指示受付部６１は、第１のＩＤ情報Ｃ１を指定する指示を受け付ける。読み出し部７０は、指示に対応する第１のＩＤ情報Ｃ１に関連付けられた処理情報Ｐ３を記録媒体５０から読み出す。また、読み出し部７０は、処理情報Ｐ３に関連付けられた第１のＩＤ情報Ｃ１、第２のＩＤ情報Ｄ１、および第２のＩＤ情報Ｄ２を記録媒体５０から読み出す。読み出し部７０はさらに、処理情報Ｐ３に関連付けられた第２のＩＤ情報Ｄ１と同一の第１のＩＤ情報Ｄ１に関連付けられた処理情報Ｐ５を記録媒体５０から読み出す。また、読み出し部７０は、処理情報Ｐ５に関連付けられた第１のＩＤ情報Ｄ１、第２のＩＤ情報Ｆ１、および第２のＩＤ情報Ｆ２を記録媒体５０から読み出す。読み出し部７０はさらに、処理情報Ｐ３に関連付けられた第２のＩＤ情報Ｄ２と同一の第１のＩＤ情報Ｄ２に関連付けられた処理情報Ｐ６を記録媒体５０から読み出す。また、読み出し部７０は、処理情報Ｐ６に関連付けられた第１のＩＤ情報Ｄ２および第２のＩＤ情報Ｇ１を記録媒体５０から読み出す。
【０１５７】
このように、読み出し部７０は、第１のＩＤ情報を指定する指示に基づいて、その対象物がどのような処理プロセスを経て、最終的にどの対象物が得られたのかを示す情報を読み出すことができる。
【０１５８】
上記のように、情報記録システム１１は、指示受付部６１および読み出し部７０を有する。これにより、情報記録システム１１は、指示受付部６１によって受け付けられた指示に対応するＩＤ情報に関連付けられた情報を記録媒体５０から取得することができる。
【０１５９】
上記のように、情報記録システム１１は、表示部８０を有する。これにより、情報記録システム１１は、記録媒体５０から取得された情報を表示することができる。対象物に対して複数の処理が行われた場合、ユーザは、各処理に対応する処理情報に基づいて処理プロセスの妥当性を検証することができる。また、ユーザは、各処理に対応するＩＤ情報に基づいて複数の処理の関係を把握することができる。
【０１６０】
上記のように、読み出し部７０は、対象物に対して順次行われる複数の処理に関する情報を記録媒体５０から読み出す。これにより、情報記録システム１１は、注目する対象物に対する処理の履歴を取得することができる。
【０１６１】
（第３の実施形態）
図１６に示す情報記録システム１１を使用して、本発明の第３の実施形態を説明する。第３の実施形態において、指示受付部６１（第３の指示受付部）は、処理情報を指定する指示を受け付ける。読み出し部７０は、指示に対応する処理情報と、処理情報に関連付けられた第１のＩＤ情報および第２のＩＤ情報とを記録媒体５０から読み出す。表示部８０は、読み出し部７０によって読み出された処理情報、第１のＩＤ情報、および第２のＩＤ情報を表示する。
【０１６２】
情報記録システム１１は、図２に示す処理を行う。図２に示す処理が終了した後、情報記録システム１１は、図２１に示す処理を行う。図２１は、情報記録システム１１による処理の手順を示す。図２１を参照し、情報記録システム１１による処理の手順を説明する。
【０１６３】
指示受付部６１は、処理情報を指定する指示を受け付ける（ステップＳ２１５（指示受付ステップ））。ステップＳ２１５の後、読み出し部７０は、指示受付部６１によって受け付けられた指示に対応する処理情報を記録媒体５０から読み出す。また、読み出し部７０は、その処理情報に関連付けられた第１のＩＤ情報および第２のＩＤ情報を記録媒体５０から読み出す（ステップＳ２２０（読み出しステップ））。ステップＳ２２０の後、表示部８０は、読み出し部７０によって読み出された処理情報、第１のＩＤ情報、および第２のＩＤ情報を表示する（ステップＳ２２５（表示ステップ））。
【０１６４】
記録媒体５０から情報が読み出される第１の例を説明する。図２２は、情報記録システム１１によって読み出される情報の例を示す。図２２を参照し、情報記録システム１１による処理の例を説明する。
【０１６５】
ツリーＴＲ５に示す情報が記録媒体５０に記録されている。ツリーＴＲ５に示す情報は、図１８に示すツリーＴＲ３に示す情報と同一である。
【０１６６】
例えば、指示受付部６１は、処理情報Ｐ２を指定する指示を受け付ける。読み出し部７０は、指示に対応する処理情報Ｐ２を記録媒体５０から読み出す。また、読み出し部７０は、処理情報Ｐ２に関連付けられた第１のＩＤ情報Ｂ、第２のＩＤ情報Ｃ１、および第２のＩＤ情報Ｃ２を記録媒体５０から読み出す。このように、指示受付部６１によって受け付けられた指示に対応する処理情報に複数の第２のＩＤ情報が関連付けられている場合、読み出し部７０は、複数の第２のＩＤ情報の各々を記録媒体５０から読み出す。
【０１６７】
記録媒体５０から情報が読み出される第２の例を説明する。図２３は、情報記録システム１１によって読み出される情報の例を示す。図２３を参照し、情報記録システム１１による処理の例を説明する。
【０１６８】
情報ＩＮ４が記録媒体５０に記録されている。情報ＩＮ４は、図１９における情報ＩＮ２と同一である。
【０１６９】
例えば、指示受付部６１は、処理情報Ｐ２を指定する指示を受け付ける。処理情報Ｐ２は、画像情報ｉｍａｇｅ２として記録媒体５０に記録されている。読み出し部７０は、指示に対応する画像情報ｉｍａｇｅ２を記録媒体５０から読み出す。また、読み出し部７０は、画像情報ｉｍａｇｅ２に関連付けられた第１のＩＤ情報Ｂ、第２のＩＤ情報Ｃ１、および第２のＩＤ情報Ｃ２を記録媒体５０から読み出す。
【０１７０】
記録媒体５０から情報が読み出される第３の例を説明する。指示受付部６１によって、第１の処理情報を指定する指示が受け付けられた場合、読み出し部７０は、指示に対応する第１の処理情報を記録媒体５０から読み出す。また、読み出し部７０は、第１の処理情報に関連付けられた第１のＩＤ情報および第２のＩＤ情報を記録媒体５０から読み出す。読み出し部７０はさらに、第１の処理情報に関連付けられた第１のＩＤ情報と同一の第２のＩＤ情報に関連付けられた第２の処理情報を記録媒体５０から読み出す。また、読み出し部７０は、第２の処理情報に関連付けられた第１のＩＤ情報および第２のＩＤ情報を記録媒体５０から読み出す。
【０１７１】
第１のＩＤ情報と同一の第２のＩＤ情報が発見されなくなるまで、読み出し部７０は、上記の処理を繰り返す。複数の第１のＩＤ情報が１つの処理情報に関連付けられている場合、読み出し部７０は、複数の第１のＩＤ情報の各々を記録媒体５０から読み出してもよい。読み出し部７０は、複数の第１のＩＤ情報の各々と同一の第２のＩＤ情報に関連付けられた第２の処理情報を記録媒体５０から読み出す。
【０１７２】
図２４は、情報記録システム１１によって読み出される情報の例を示す。図２４を参照し、情報記録システム１１による処理の例を説明する。
【０１７３】
ツリーＴＲ６に示す情報が記録媒体５０に記録されている。ツリーＴＲ６に示す情報は、図２０に示すツリーＴＲ４に示す情報と同一である。
【０１７４】
例えば、指示受付部６１は、処理情報Ｐ７を指定する指示を受け付ける。読み出し部７０は、指示に対応する処理情報Ｐ７を記録媒体５０から読み出す。また、読み出し部７０は、処理情報Ｐ７に関連付けられた第１のＩＤ情報Ｅ１、第２のＩＤ情報Ｈ１、および第２のＩＤ情報Ｈ２を記録媒体５０から読み出す。読み出し部７０はさらに、処理情報Ｐ７に関連付けられた第１のＩＤ情報Ｅ１と同一の第２のＩＤ情報Ｅ１に関連付けられた処理情報Ｐ４を記録媒体５０から読み出す。また、読み出し部７０は、処理情報Ｐ４に関連付けられた第１のＩＤ情報Ｃ２および第２のＩＤ情報Ｅ１を記録媒体５０から読み出す。
【０１７５】
読み出し部７０は、上記と同様の処理を繰り返す。これにより、読み出し部７０は、処理情報Ｐ２、第１のＩＤ情報Ｂ、および第２のＩＤ情報Ｃ２を記録媒体５０から読み出す。また、読み出し部７０は、処理情報Ｐ１、第１のＩＤ情報Ａ、および第２のＩＤ情報Ｂを記録媒体５０から読み出す。上記の処理により、読み出し部７０は、情報ＩＮ５を記録媒体５０から読み出す。
【０１７６】
情報記録システム１１は、以下の処理を行ってもよい。指示受付部６１によって、第１の処理情報を指定する指示が受け付けられた場合、読み出し部７０は、指示に対応する第１の処理情報を記録媒体５０から読み出す。また、読み出し部７０は、第１の処理情報に関連付けられた第１のＩＤ情報および第２のＩＤ情報を記録媒体５０から読み出す。読み出し部７０はさらに、第１の処理情報に関連付けられた第２のＩＤ情報と同一の第１のＩＤ情報に関連付けられた第２の処理情報を記録媒体５０から読み出す。また、読み出し部７０は、第２の処理情報に関連付けられた第１のＩＤ情報および第２のＩＤ情報を記録媒体５０から読み出す。
【０１７７】
第２のＩＤ情報と同一の第１のＩＤ情報が発見されなくなるまで、読み出し部７０は、上記の処理を繰り返す。複数の第２のＩＤ情報が１つの処理情報に関連付けられている場合、読み出し部７０は、複数の第２のＩＤ情報の各々を記録媒体５０から読み出してもよい。読み出し部７０は、複数の第２のＩＤ情報の各々と同一の第１のＩＤ情報に関連付けられた第２の処理情報を記録媒体５０から読み出す。
【０１７８】
例えば、図２４に示す例において、指示受付部６１は、処理情報Ｐ３を指定する指示を受け付ける。読み出し部７０は、指示に対応する処理情報Ｐ３を記録媒体５０から読み出す。また、読み出し部７０は、処理情報Ｐ３に関連付けられた第１のＩＤ情報Ｃ１、第２のＩＤ情報Ｄ１、および第２のＩＤ情報Ｄ２を記録媒体５０から読み出す。読み出し部７０はさらに、処理情報Ｐ３に関連付けられた第２のＩＤ情報Ｄ１と同一の第１のＩＤ情報Ｄ１に関連付けられた処理情報Ｐ５を記録媒体５０から読み出す。また、読み出し部７０は、処理情報Ｐ５に関連付けられた第１のＩＤ情報Ｄ１、第２のＩＤ情報Ｆ１、および第２のＩＤ情報Ｆ２を記録媒体５０から読み出す。読み出し部７０はさらに、処理情報Ｐ３に関連付けられた第２のＩＤ情報Ｄ２と同一の第１のＩＤ情報Ｄ２に関連付けられた処理情報Ｐ６を記録媒体５０から読み出す。また、読み出し部７０は、処理情報Ｐ６に関連付けられた第１のＩＤ情報Ｄ２および第２のＩＤ情報Ｇ１を記録媒体５０から読み出す。
【０１７９】
上記のように、情報記録システム１１は、指示受付部６１および読み出し部７０を有する。これにより、情報記録システム１１は、指示に対応する処理情報に関連付けられた情報を記録媒体５０から取得することができる。
【０１８０】
上記のように、情報記録システム１１は、表示部８０を有する。これにより、情報記録システム１１は、記録媒体５０から取得された情報を表示することができる。対象物に対して複数の処理が行われた場合、ユーザは、各処理に対応する処理情報に基づいて処理プロセスの妥当性を検証することができる。また、ユーザは、各処理に対応するＩＤ情報に基づいて複数の処理の関係を把握することができる。
【０１８１】
上記のように、読み出し部７０は、対象物に対して順次行われる複数の処理に関する情報を記録媒体５０から読み出す。これにより、情報記録システム１１は、注目する処理を含む一連の処理の履歴を取得することができる。
【０１８２】
（第４の実施形態）
図２５は、本発明の第４の実施形態の情報記録システム１２の構成を示す。図２５に示す構成について、図１に示す構成と異なる点を説明する。
【０１８３】
情報記録システム１２は、図１に示す情報記録システム１０の構成に加えて読み出し部７０、判定部９０、および警告部１００を有する。
【０１８４】
読み出し部７０は、記録媒体５０に記録された処理情報、第１のＩＤ情報、および第２のＩＤ情報の少なくとも１つを読み出す。判定部９０は、記録媒体５０に記録された処理情報、第１のＩＤ情報、および第２のＩＤ情報の少なくとも１つが、処理情報、第１のＩＤ情報、および第２のＩＤ情報が満たすべき条件として予め定義された条件と一致するか否かを判定する。警告部１００は、記録媒体５０に記録された処理情報、第１のＩＤ情報、および第２のＩＤ情報の少なくとも１つが、上記の条件と一致しない場合に警告を発する。
【０１８５】
例えば、判定部９０は、情報処理を行う情報処理回路を含む。判定部９０は、１つまたは複数のプロセッサで構成されてもよい。判定部９０は、ＡＳＩＣまたはＦＰＧＡで構成されてもよい。
【０１８６】
例えば、警告部は、液晶ディスプレイなどの表示部である。警告部は、スピーカであってもよい。例えば、処理情報、第１のＩＤ情報、および第２のＩＤ情報の少なくとも１つが満たすべき条件を示す条件情報が記録媒体５０に予め記録される。対象物に対する処理が終了したときなどのタイミングで読み出し部７０は、その処理に対応する処理情報、第１のＩＤ情報、および第２のＩＤ情報の少なくとも１つを記録媒体５０から読み出す。また、読み出し部７０は、その処理に対応する条件情報を記録媒体５０から読み出す。判定部９０は、処理情報、第１のＩＤ情報、および第２のＩＤ情報の少なくとも１つを、条件情報によって示される条件と比較する。処理情報、第１のＩＤ情報、および第２のＩＤ情報の少なくとも１つが、条件情報によって示される条件と一致しない場合、警告部１００は警告を発する。判定部９０が行う処理は、処理情報、第１のＩＤ情報、および第２のＩＤ情報の少なくとも１つの状態を、条件情報によって示される条件と比較する処理を含んでもよい。
【０１８７】
例えば、１つの対象物を分割することにより２つの対象物が生成される処理において２つの第１のＩＤ情報が記録された場合、警告部１００は警告を発する。あるいは、その処理において１つのみの第２のＩＤ情報または３つ以上の第２のＩＤ情報が記録された場合、警告部１００は警告を発する。情報生成部２０が、処理に使用される器具に搭載されたセンサを含む場合、使用された器具に応じた処理情報が記録される。記録された処理情報が、条件情報によって示される処理情報と異なる場合、すなわち使用されるべき器具と異なる器具が使用された場合、警告部１００は警告を発する。処理において使用される容器が予め規定され、かつその容器にＩＤ情報が添付されている場合、そのＩＤ情報が条件情報に含まれる。記録されたＩＤ情報が、条件情報によって示されるＩＤ情報と異なる場合、すなわち使用されるべき容器と異なる容器が使用された場合、警告部１００は警告を発する。
【０１８８】
上記以外の点について、図２５に示す構成は、図１に示す構成と同様である。
【０１８９】
情報記録システム１２は、図２に示す処理を行う。図２に示す処理が終了した後、情報記録システム１２は、図２６に示す処理を行う。図２６は、情報記録システム１２による処理の手順を示す。図２６を参照し、情報記録システム１２による処理の手順を説明する。
【０１９０】
読み出し部７０は、処理情報、第１のＩＤ情報、および第２のＩＤ情報の少なくとも１つを記録媒体５０から読み出す。また、読み出し部７０は、条件情報を記録媒体５０から読み出す（ステップＳ２３０（読み出しステップ））。例えば、読み出し部７０は、現在時刻に最も近いタイミングで記録媒体５０に記録された処理情報、第１のＩＤ情報、および第２のＩＤ情報の少なくとも１つを記録媒体５０から読み出す。また、読み出し部７０は、ユーザによって指定された処理に対応する条件情報を記録媒体５０から読み出す。
【０１９１】
ステップＳ２３０の後、判定部９０は、記録媒体５０から読み出された処理情報、第１のＩＤ情報、および第２のＩＤ情報の少なくとも１つと、条件情報によって示される条件とを比較する（ステップＳ２３５（比較ステップ））。ステップＳ２３５の後、判定部９０は、記録媒体５０から読み出された情報の全てと、条件情報によって示される条件とが一致するか否かを判定する（ステップＳ２４０（判定ステップ））。
【０１９２】
ステップＳ２４０において、記録媒体５０から読み出された情報の全てと、条件情報によって示される条件とが一致する場合、警告は出力されない。ステップＳ２４０において、記録媒体５０から読み出された情報の少なくとも１つと、条件情報によって示される条件とが一致しない場合、警告部１００は、警告を出力する（ステップＳ２４５（警告ステップ））。
【０１９３】
情報記録システム１２は、図１６に示す指示受付部６１および表示部８０を有してもよい。
【０１９４】
上記のように、情報記録システム１２は、判定部９０および警告部１００を有する。これにより、情報記録システム１２は、作業誤りの発生を低減させることができる。作業誤りが発生した場合、情報記録システム１２は、第１の実施形態の情報記録システム１０と同様に、処理状況の妥当性の検証を支援することができる。
【０１９５】
（第５の実施形態）
図１６に示す情報記録システム１１を使用して、本発明の第５の実施形態を説明する。第５の実施形態において、情報記録システム１１を病理診断に適用した例を説明する。
【０１９６】
病理診断における病理標本は、以下の手順で作製される。
【０１９７】
（１）受付
患者の臓器などの対象物が検査室に到着する。受付において、対象物の詳細な情報がコンピュータに入力される。
【０１９８】
（２）切り出し
診断に必要な部分が対象物から切り出される。
【０１９９】
（３）包埋
切り出された対象物はプロセッサ（包埋装置）の内部に配置され、かつ処理される。これにより、組織中の水分がパラフィンに変換される。対象物はパラフィンに埋め込まれる。
【０２００】
（４）薄切
パラフィンによって固められた対象物は薄切装置により薄くスライスされる。対象物の薄片はスライドガラスに添付される。
【０２０１】
（５）染色
対象物に対して、顕微鏡による観察のための染色が染色機によって行われる。例えば、Ｈｅｍａｔｏｘｙｌｉｎ−Ｅｏｓｉｎ（ＨＥ）染色および免疫染色（Ｉｍｍｕｎｏｓｔａｉｎｉｎｇ）などの染色が行われる。染色が行われた後、カバーガラスが貼り付けられる。
【０２０２】
上記の手順により病理標本が作製される。病理医は病理標本を観察し、かつ診断を行う。
【０２０３】
図２７および図２８は、病理診断の第１の例を示す。図２７および図２８を参照し、病理診断の第１の例において対象物の取り違えの原因を確認する方法を説明する。
【０２０４】
対象物を収納した第１の容器が受付に到着する。ＩＤ情報ＩＤ１が第１の容器に添付されている。ユーザＡは、受付において必要な処理を行う。処理の様子はカメラによって撮影され、かつ処理情報である画像情報Ｉｍａｇｅ１ａが生成される。画像情報Ｉｍａｇｅ１ａ、第１のＩＤ情報ＩＤ１、および第２のＩＤ情報ＩＤ１が記録媒体５０に記録される。
【０２０５】
その後、別の対象物を収納した第２の容器が受付に到着する。ＩＤ情報ＩＤ２が第２の容器に添付されている。ユーザＡは、受付において必要な処理を行う。処理の様子はカメラによって撮影され、かつ処理情報である画像情報Ｉｍａｇｅ２ａが生成される。画像情報Ｉｍａｇｅ２ａ、第１のＩＤ情報ＩＤ２、および第２のＩＤ情報ＩＤ２が記録媒体５０に記録される。対象物を収納した第１の容器および第２の容器は、受付から、切り出しが行われる場所に運ばれる。
【０２０６】
ユーザＢは、第１の容器から対象物を取り出し、かつ対象物から必要な部分を切り出す。図２７に示すように、対象物から４つの部分が切り出される。切り出された部分はカートリッジに入れられる。ＩＤ情報ＩＤ１ａ１、ＩＤ情報ＩＤ１ｂ１、ＩＤ情報ＩＤ１ｃ１、およびＩＤ情報ＩＤ１ｄ１の各々が各カートリッジに添付されている。処理の様子はカメラによって撮影され、かつ処理情報である画像情報Ｉｍａｇｅ１ｂが生成される。画像情報Ｉｍａｇｅ１ｂ、第１のＩＤ情報ＩＤ１、および第２のＩＤ情報が記録媒体５０に記録される。第２のＩＤ情報として、ＩＤ情報ＩＤ１ａ１、ＩＤ情報ＩＤ１ｂ１、ＩＤ情報ＩＤ１ｃ１、およびＩＤ情報ＩＤ１ｄ１が記録媒体５０に記録される。
【０２０７】
その後、ユーザＢは、第２の容器から対象物を取り出し、かつ対象物から必要な部分を切り出す。図２７に示すように、対象物から３つの部分が切り出される。切り出された部分はカートリッジに入れられる。ＩＤ情報ＩＤ２ａ１、ＩＤ情報ＩＤ２ｂ１、およびＩＤ情報ＩＤ２ｃ１の各々が各カートリッジに添付されている。処理の様子はカメラによって撮影され、かつ処理情報である画像情報Ｉｍａｇｅ２ｂが生成される。画像情報Ｉｍａｇｅ２ｂ、第１のＩＤ情報ＩＤ２、および第２のＩＤ情報が記録媒体５０に記録される。第２のＩＤ情報として、ＩＤ情報ＩＤ２ａ１、ＩＤ情報ＩＤ２ｂ１、およびＩＤ情報ＩＤ２ｃ１が記録媒体５０に記録される。対象物を収納したカートリッジは、包埋が行われる場所に運ばれる。
【０２０８】
ユーザＣは、カートリッジをプロセッサに入れ、かつプロセッサを作動させる。例えば、第１の容器に収納された対象物の部分を含む４つのカートリッジに対して同時に処理が行われる。処理が終了した後、ユーザＣはカートリッジをプロセッサから取り出す。処理の様子はカメラによって撮影され、かつ処理情報である画像情報Ｉｍａｇｅ１ｃが生成される。画像情報Ｉｍａｇｅ１ｃ、第１のＩＤ情報、および第２のＩＤ情報が記録媒体５０に記録される。第１のＩＤ情報および第２のＩＤ情報は同一である。ＩＤ情報ＩＤ１ａ１、ＩＤ情報ＩＤ１ｂ１、ＩＤ情報ＩＤ１ｃ１、およびＩＤ情報ＩＤ１ｄ１の各々が第１のＩＤ情報および第２のＩＤ情報として記録媒体５０に記録される。
【０２０９】
第２の容器に収納された対象物の部分を含む３つのカートリッジに対して同時に処理が行われる。処理が終了した後、ユーザＣはカートリッジをプロセッサから取り出す。処理の様子はカメラによって撮影され、かつ処理情報である画像情報Ｉｍａｇｅ２ｃが生成される。画像情報Ｉｍａｇｅ２ｃ、第１のＩＤ情報、および第２のＩＤ情報が記録媒体５０に記録される。第１のＩＤ情報および第２のＩＤ情報は同一である。ＩＤ情報ＩＤ２ａ１、ＩＤ情報ＩＤ２ｂ１、およびＩＤ情報ＩＤ２ｃ１の各々が第１のＩＤ情報および第２のＩＤ情報として記録媒体５０に記録される。上記の７つのカートリッジに対して同時に処理が行われてもよい。包埋が終了したカートリッジは、薄切が行われる場所に運ばれる。
【０２１０】
ユーザＤは、カートリッジから対象物を取り出し、かつ対象物をスライスする。ＩＤ情報ＩＤ１ａ１が添付されたカートリッジから取り出された対象物から２つの薄片が切り出される。２つの薄片は、ＩＤ情報ＩＤ１ａ２が添付されたスライドガラスおよびＩＤ情報ＩＤ１ａ３が添付されたスライドガラスの各々に置かれる。ＩＤ情報ＩＤ１ｂ１が添付されたカートリッジから取り出された対象物から２つの薄片が切り出される。２つの薄片は、ＩＤ情報ＩＤ１ｂ２が添付されたスライドガラスおよびＩＤ情報ＩＤ１ｂ３が添付されたスライドガラスの各々に置かれる。
【０２１１】
ＩＤ情報ＩＤ１ｃ１が添付されたカートリッジから取り出された対象物から１つの薄片が切り出される。その薄片は、ＩＤ情報ＩＤ１ｃ２が添付されたスライドガラスに置かれる。ＩＤ情報ＩＤ１ｄ１が添付されたカートリッジから取り出された対象物から１つの薄片が切り出される。ユーザＤがその薄片をスライドガラスに収納するとき、薄片が収納されるべきスライドガラスを誤る。このため、その薄片は、ＩＤ情報ＩＤ２ａ２が添付されたスライドガラスに置かれる。本来薄片が収納されるべきスライドガラスにはＩＤ情報ＩＤ１ｄ２が添付されている。
【０２１２】
処理の様子はカメラによって撮影され、かつ処理情報である画像情報Ｉｍａｇｅ１ｄが生成される。画像情報Ｉｍａｇｅ１ｄ、第１のＩＤ情報、および第２のＩＤ情報が記録媒体５０に記録される。第１のＩＤ情報および第２のＩＤ情報の第１の組合せにおいて、第１のＩＤ情報はＩＤ情報ＩＤ１ａ１であり、かつ第２のＩＤ情報はＩＤ情報ＩＤ１ａ２およびＩＤ情報ＩＤ１ａ３である。第１のＩＤ情報および第２のＩＤ情報の第２の組合せにおいて、第１のＩＤ情報はＩＤ情報ＩＤ１ｂ１であり、かつ第２のＩＤ情報はＩＤ情報ＩＤ１ｂ２およびＩＤ情報ＩＤ１ｂ３である。第１のＩＤ情報および第２のＩＤ情報の第３の組合せにおいて、第１のＩＤ情報はＩＤ情報ＩＤ１ｃ１であり、かつ第２のＩＤ情報はＩＤ情報ＩＤ１ｃ２である。第１のＩＤ情報および第２のＩＤ情報の第４の組合せにおいて、第１のＩＤ情報はＩＤ情報ＩＤ１ｄ１であり、かつ第２のＩＤ情報はＩＤ情報ＩＤ２ａ２である。
【０２１３】
ＩＤ情報ＩＤ２ａ１が添付されたカートリッジから取り出された対象物から２つの薄片が切り出される。ユーザＤが２つの薄片の一方をスライドガラスに収納するとき、薄片が収納されるべきスライドガラスを誤る。このため、その薄片は、ＩＤ情報ＩＤ１ｄ２が添付されたスライドガラスに置かれる。本来薄片が収納されるべきスライドガラスにはＩＤ情報ＩＤ２ａ２が添付されている。２つの薄片の残りは、ＩＤ情報ＩＤ２ａ３が添付されたスライドガラスに置かれる。
【０２１４】
ＩＤ情報ＩＤ２ｂ１が添付されたカートリッジから取り出された対象物から１つの薄片が切り出される。その薄片は、ＩＤ情報ＩＤ２ｂ２が添付されたスライドガラスに置かれる。ＩＤ情報ＩＤ２ｃ１が添付されたカートリッジから取り出された対象物から１つの薄片が切り出される。その薄片は、ＩＤ情報ＩＤ２ｃ２が添付されたスライドガラスに置かれる。
【０２１５】
処理の様子はカメラによって撮影され、かつ処理情報である画像情報Ｉｍａｇｅ２ｄが生成される。画像情報Ｉｍａｇｅ２ｄ、第１のＩＤ情報、および第２のＩＤ情報が記録媒体５０に記録される。第１のＩＤ情報および第２のＩＤ情報の第１の組合せにおいて、第１のＩＤ情報はＩＤ情報ＩＤ２ａ１であり、かつ第２のＩＤ情報はＩＤ情報ＩＤ１ｄ２およびＩＤ情報ＩＤ２ａ３である。第１のＩＤ情報および第２のＩＤ情報の第２の組合せにおいて、第１のＩＤ情報はＩＤ情報ＩＤ２ｂ１であり、かつ第２のＩＤ情報はＩＤ情報ＩＤ２ｂ２である。第１のＩＤ情報および第２のＩＤ情報の第３の組合せにおいて、第１のＩＤ情報はＩＤ情報ＩＤ２ｃ１であり、かつ第２のＩＤ情報はＩＤ情報ＩＤ２ｃ２である。スライドガラスは、染色が行われる場所に運ばれる。
【０２１６】
ユーザＥは、スライドガラスに置かれた対象物に対してＨＥ染色または免疫染色を行う。例えば、ユーザＥは、ＩＤ情報ＩＤ１ａ２、ＩＤ情報ＩＤ１ｂ２、ＩＤ情報ＩＤ１ｃ２、およびＩＤ情報ＩＤ１ｄ２の各々が添付されたスライドガラスに置かれた対象物に対してＨＥ染色を行う。また、ユーザＦは、ＩＤ情報ＩＤ１ａ３およびＩＤ情報ＩＤ１ｂ３の各々が添付されたスライドガラスに置かれた対象物に対して免疫染色を行う。染色が終了した後、カバーガラスが貼り付けられることにより、病理標本が完成する。
【０２１７】
処理の様子はカメラによって撮影され、かつ処理情報である画像情報Ｉｍａｇｅ１ｅが生成される。画像情報Ｉｍａｇｅ１ｅ、第１のＩＤ情報、および第２のＩＤ情報が記録媒体５０に記録される。第１のＩＤ情報および第２のＩＤ情報は同一である。ＩＤ情報ＩＤ１ａ２、ＩＤ情報ＩＤ１ｂ２、ＩＤ情報ＩＤ１ｃ２、ＩＤ情報ＩＤ１ｄ２、ＩＤ情報ＩＤ１ａ３、およびＩＤ情報ＩＤ１ｂ３の各々が第１のＩＤ情報および第２のＩＤ情報として記録媒体５０に記録される。
【０２１８】
その後、ユーザＥは、ＩＤ情報ＩＤ２ａ２、ＩＤ情報ＩＤ２ｂ２、およびＩＤ情報ＩＤ２ｃ２の各々が添付されたスライドガラスに置かれた対象物に対してＨＥ染色を行う。また、ユーザＦは、ＩＤ情報ＩＤ２ａ３が添付されたスライドガラスに置かれた対象物に対して免疫染色を行う。染色が終了した後、カバーガラスが貼り付けられることにより、病理標本が完成する。
【０２１９】
処理の様子はカメラによって撮影され、かつ処理情報である画像情報Ｉｍａｇｅ２ｅが生成される。画像情報Ｉｍａｇｅ２ｅ、第１のＩＤ情報、および第２のＩＤ情報が記録媒体５０に記録される。第１のＩＤ情報および第２のＩＤ情報は同一である。ＩＤ情報ＩＤ２ａ２、ＩＤ情報ＩＤ２ｂ２、ＩＤ情報ＩＤ２ｃ２、およびＩＤ情報ＩＤ２ａ３の各々が第１のＩＤ情報および第２のＩＤ情報として記録媒体５０に記録される。病理標本は、診断が行われる場所に運ばれる。
【０２２０】
診断医であるユーザＧは、病理標本を顕微鏡で観察し、かつ診断を行う。ユーザＧは、ＩＤ情報ＩＤ１ａ２、ＩＤ情報ＩＤ１ｂ２、ＩＤ情報ＩＤ１ｃ２、ＩＤ情報ＩＤ１ｄ２、ＩＤ情報ＩＤ１ａ３、およびＩＤ情報ＩＤ１ｂ３の各々が添付された病理標本に基づいて診断を行う。
【０２２１】
診断の様子はカメラによって撮影され、かつ処理情報である画像情報Ｉｍａｇｅ１ｆが生成される。画像情報Ｉｍａｇｅ１ｆ、第１のＩＤ情報、および第２のＩＤ情報が記録媒体５０に記録される。第１のＩＤ情報および第２のＩＤ情報は同一である。ＩＤ情報ＩＤ１ａ２、ＩＤ情報ＩＤ１ｂ２、ＩＤ情報ＩＤ１ｃ２、ＩＤ情報ＩＤ１ｄ２、ＩＤ情報ＩＤ１ａ３、およびＩＤ情報ＩＤ１ｂ３の各々が第１のＩＤ情報および第２のＩＤ情報として記録媒体５０に記録される。
【０２２２】
その後、ユーザＧは、ＩＤ情報ＩＤ２ａ２、ＩＤ情報ＩＤ２ｂ２、ＩＤ情報ＩＤ２ｃ２、およびＩＤ情報ＩＤ２ａ３の各々が添付された病理標本に基づいて診断を行う。診断の様子はカメラによって撮影され、かつ処理情報である画像情報Ｉｍａｇｅ２ｆが生成される。画像情報Ｉｍａｇｅ２ｆ、第１のＩＤ情報、および第２のＩＤ情報が記録媒体５０に記録される。第１のＩＤ情報および第２のＩＤ情報は同一である。ＩＤ情報ＩＤ２ａ２、ＩＤ情報ＩＤ２ｂ２、ＩＤ情報ＩＤ２ｃ２、およびＩＤ情報ＩＤ２ａ３の各々が第１のＩＤ情報および第２のＩＤ情報として記録媒体５０に記録される。
【０２２３】
ユーザＧは、ＩＤ情報ＩＤ２ａ２が添付された病理標本が怪しいことに気付く。このため、対象物の取り違えが発生している可能性がある。カートリッジ内の対象物およびスライドガラス上の対象物の全てを確認することは困難である。例えば、第５の実施形態において、以下の方法により、ユーザ（検証者）は取り違えの原因を確認することができる。
【０２２４】
指示受付部６１は、第２のＩＤ情報ＩＤ２ａ２を指定する指示を受け付ける。読み出し部７０は、画像情報Ｉｍａｇｅ２ｆ、第１のＩＤ情報ＩＤ２ａ２、および第２のＩＤ情報ＩＤ２ａ２を記録媒体５０から読み出す。表示部８０は、画像情報Ｉｍａｇｅ２ｆ、第１のＩＤ情報ＩＤ２ａ２、および第２のＩＤ情報ＩＤ２ａ２を表示する。検証者は、画像情報Ｉｍａｇｅ２ｆに基づいて、ユーザＥおよびユーザＦが怪しい行動をしているか否かを確認する。画像情報Ｉｍａｇｅ２ｆからは取り違えの原因が判明しない場合、検証者は、１つ前の処理の画像情報を確認する。
【０２２５】
読み出し部７０は、画像情報Ｉｍａｇｅ２ｅ、第１のＩＤ情報ＩＤ２ａ２、および第２のＩＤ情報ＩＤ２ａ２を記録媒体５０から読み出す。例えば、時刻情報が画像情報に付加されている。読み出し部７０は、画像情報Ｉｍａｇｅ２ｅおよび画像情報Ｉｍａｇｅ２ｆの各々に付加された時刻情報に基づいて、画像情報Ｉｍａｇｅ２ｅおよび画像情報Ｉｍａｇｅ２ｆが生成された順番を認識することができる。表示部８０は、画像情報Ｉｍａｇｅ２ｅ、第１のＩＤ情報ＩＤ２ａ２、および第２のＩＤ情報ＩＤ２ａ２を表示する。検証者は、画像情報Ｉｍａｇｅ２ｅに基づいて、ユーザＥおよびユーザＦが怪しい行動をしているか否かを確認する。画像情報Ｉｍａｇｅ２ｅからは取り違えの原因が判明しない場合、検証者は、１つ前の処理の画像情報を確認する。
【０２２６】
読み出し部７０は、画像情報Ｉｍａｇｅ１ｄ、第１のＩＤ情報ＩＤ１ｄ１、および第２のＩＤ情報ＩＤ２ａ２を記録媒体５０から読み出す。表示部８０は、画像情報Ｉｍａｇｅ１ｄ、第１のＩＤ情報ＩＤ１ｄ１、および第２のＩＤ情報ＩＤ２ａ２を表示する。検証者は、画像情報Ｉｍａｇｅ１ｄに基づいて、ユーザＤが怪しい行動をしているか否かを確認する。その結果、画像情報Ｉｍａｇｅ１ｄにおいて、ユーザＤが薄切の作業と異なる作業を行う様子が確認される。例えば、電話に出るなどの作業により取り違えが発生する可能性がある。ユーザＤが電話などの作業の前後で異なる対象物を持っていることが確認される。第１のＩＤ情報ＩＤ１ｄ１に対応する対象物は、本来とは異なるスライドガラスに誤って置かれたと推測される。第２のＩＤ情報ＩＤ２ａ２が添付されたスライドガラスに置かれるべきであった対象物の特定が必要である。
【０２２７】
ＩＤ情報ＩＤ１ｄ２に対応する対象物が処理された時刻と近い時刻に処理された対象物が確認の対象である。このため、検証者は、薄切において画像情報Ｉｍａｇｅ１ｄが生成された時刻と近い時刻に生成された画像情報Ｉｍａｇｅ２ｄを確認する。その結果、画像情報Ｉｍａｇｅ２ｄにおいて、ＩＤ情報ＩＤ２ａ１に対応する対象物が、ＩＤ情報ＩＤ１ｄ２が添付されたスライドガラスに置かれる様子が確認される。本来、この対象物は、ＩＤ情報ＩＤ２ａ２が添付されたスライドガラスに置かれるべきである。
【０２２８】
例えば、受付に到着した容器のＩＤ情報と、その容器に収納された対象物に使用されるスライドガラスに添付されたＩＤ情報との関係は予め規定されている。このため、ＩＤ情報ＩＤ２ａ１とＩＤ情報ＩＤ１ｄ２との関係が誤っていると検証者は判断することができる。
【０２２９】
例えば、画像情報Ｉｍａｇｅ２ｄにおいて、対象物を収納する容器に添付されたＩＤ情報が視認できる。これにより、検証者は、画像情報Ｉｍａｇｅ２ｄにおいて、第１のＩＤ情報と第２のＩＤ情報との関係を把握することができる。複数の対象物の各々に対する処理において各処理の画像情報が生成されてもよい。各処理の画像情報に対して、各処理における第１のＩＤ情報および第２のＩＤ情報が関連付けられる。例えば、４つの対象物が処理される場合、各処理において独立に画像情報が生成されることにより、４つの画像情報が生成される。各画像情報に対して第１のＩＤ情報および第２のＩＤ情報が関連付けられる。情報記録システム１２は、図６に示す指示受付部６０を有してもよい。画像情報Ｉｍａｇｅ２ｄは、指示受付部６０によって受け付けられた複数の開始指示および終了指示に基づいて複数に分割されてもよい。
【０２３０】
上記のように特定されたＩＤ情報ＩＤ１ｄ２に対応する病理標本が以下のように特定される。指示受付部６１は、第１のＩＤ情報ＩＤ１ｄ２を指定する指示を受け付ける。読み出し部７０は、画像情報Ｉｍａｇｅ１ｅ、第１のＩＤ情報ＩＤ１ｄ２、および第２のＩＤ情報ＩＤ１ｄ２を記録媒体５０から読み出す。さらに、読み出し部７０は、画像情報Ｉｍａｇｅ１ｆ、第１のＩＤ情報ＩＤ１ｄ２、および第２のＩＤ情報ＩＤ１ｄ２を記録媒体５０から読み出す。ＩＤ情報ＩＤ１ｄ２が添付された病理標本が、ＩＤ情報ＩＤ２ａ２が添付された病理標本と取り違えられた可能性がある。
【０２３１】
ＩＤ情報ＩＤ１ｃ２が添付された病理標本と、ＩＤ情報ＩＤ１ｄ２が添付された病理標本との比較が行われる。これらの病理標本は、同一の部位から切り出されているべきであり、かつ構造などの特徴が共通するべきである。また、ＩＤ情報ＩＤ２ａ２が添付された病理標本と、ＩＤ情報ＩＤ２ｂ２が添付された病理標本との比較が行われる。これらの病理標本は、同一の部位から切り出されているべきであり、かつ構造などの特徴が共通するべきである。上記の結果、ＩＤ情報ＩＤ１ｄ２が添付された病理標本と、ＩＤ情報ＩＤ２ａ２が添付された病理標本とで対象物の取り違えが発生したことが判明する。
【０２３２】
図２９および図３０は、病理診断の第２の例を示す。図２９および図３０を参照し、病理診断の第２の例において対象物の取り違えの原因を確認する方法を説明する。第１の例における説明と共通する説明は省略する。
【０２３３】
対象物を収納した第１の容器が受付に到着する。ＩＤ情報ＩＤ３が第１の容器に添付されている。画像情報Ｉｍａｇｅ３ａ、第１のＩＤ情報ＩＤ３、および第２のＩＤ情報ＩＤ３が記録媒体５０に記録される。その後、別の対象物を収納した第２の容器が受付に到着する。ＩＤ情報ＩＤ４が第２の容器に添付されている。画像情報Ｉｍａｇｅ４ａ、第１のＩＤ情報ＩＤ４、および第２のＩＤ情報ＩＤ４が記録媒体５０に記録される。
【０２３４】
第１の容器に収納された対象物から４つの部分が切り出される。４つの部分のうち３つは、ＩＤ情報ＩＤ３ａ１が添付されたカートリッジ、ＩＤ情報ＩＤ３ｂ１が添付されたカートリッジ、およびＩＤ情報ＩＤ３ｃ１が添付されたカートリッジの各々に入れられる。ユーザＢが残りの１つの部分をカートリッジに収納するとき、その部分が収納されるべきカートリッジを誤る。このため、その部分は、ＩＤ情報ＩＤ４ｂ１が添付されたカートリッジに入れられる。本来その部分が収納されるべきスライドガラスにはＩＤ情報ＩＤ３ｄ１が添付されている。画像情報Ｉｍａｇｅ３ｂ、第１のＩＤ情報ＩＤ３、および第２のＩＤ情報が記録媒体５０に記録される。第２のＩＤ情報として、ＩＤ情報ＩＤ３ａ１、ＩＤ情報ＩＤ３ｂ１、ＩＤ情報ＩＤ３ｃ１、およびＩＤ情報ＩＤ４ｂ１が記録媒体５０に記録される。
【０２３５】
その後、第２の容器に収納された対象物から３つの部分が切り出される。３つの部分のうち２つは、ＩＤ情報ＩＤ４ａ１が添付されたカートリッジおよびＩＤ情報ＩＤ４ｃ１が添付されたカートリッジの各々に入れられる。ユーザＢが残りの１つの部分をカートリッジに収納するとき、その部分が収納されるべきカートリッジを誤る。このため、その部分は、ＩＤ情報ＩＤ３ｄ１が添付されたカートリッジに入れられる。本来その部分が収納されるべきスライドガラスにはＩＤ情報ＩＤ４ｂ１が添付されている。画像情報Ｉｍａｇｅ４ｂ、第１のＩＤ情報ＩＤ４、および第２のＩＤ情報が記録媒体５０に記録される。第２のＩＤ情報として、ＩＤ情報ＩＤ４ａ１、ＩＤ情報ＩＤ４ｃ１、およびＩＤ情報ＩＤ３ｄ１が記録媒体５０に記録される。
【０２３６】
包埋において、画像情報Ｉｍａｇｅ３ｃ、第１のＩＤ情報、および第２のＩＤ情報が記録媒体５０に記録される。第１のＩＤ情報および第２のＩＤ情報は同一である。ＩＤ情報ＩＤ３ａ１、ＩＤ情報ＩＤ３ｂ１、ＩＤ情報ＩＤ３ｃ１、およびＩＤ情報ＩＤ３ｄ１の各々が第１のＩＤ情報および第２のＩＤ情報として記録媒体５０に記録される。
【０２３７】
また、包埋において、画像情報Ｉｍａｇｅ４ｃ、第１のＩＤ情報、および第２のＩＤ情報が記録媒体５０に記録される。第１のＩＤ情報および第２のＩＤ情報は同一である。ＩＤ情報ＩＤ４ａ１、ＩＤ情報ＩＤ４ｂ１、およびＩＤ情報ＩＤ４ｃ１の各々が第１のＩＤ情報および第２のＩＤ情報として記録媒体５０に記録される。
【０２３８】
薄切の処理により、ＩＤ情報ＩＤ３ａ１が添付されたカートリッジから取り出された対象物から２つの薄片が切り出される。２つの薄片は、ＩＤ情報ＩＤ３ａ２が添付されたスライドガラスおよびＩＤ情報ＩＤ３ａ３が添付されたスライドガラスの各々に置かれる。ＩＤ情報ＩＤ３ｂ１が添付されたカートリッジから取り出された対象物から２つの薄片が切り出される。２つの薄片は、ＩＤ情報ＩＤ３ｂ２が添付されたスライドガラスおよびＩＤ情報ＩＤ３ｂ３が添付されたスライドガラスの各々に置かれる。
【０２３９】
ＩＤ情報ＩＤ３ｃ１が添付されたカートリッジから取り出された対象物から１つの薄片が切り出される。その薄片は、ＩＤ情報ＩＤ３ｃ２が添付されたスライドガラスに置かれる。ＩＤ情報ＩＤ３ｄ１が添付されたカートリッジから取り出された対象物から１つの薄片が切り出される。その薄片は、ＩＤ情報ＩＤ３ｄ２が添付されたスライドガラスに置かれる。
【０２４０】
画像情報Ｉｍａｇｅ３ｄ、第１のＩＤ情報、および第２のＩＤ情報が記録媒体５０に記録される。第１のＩＤ情報および第２のＩＤ情報の第１の組合せにおいて、第１のＩＤ情報はＩＤ情報ＩＤ３ａ１であり、かつ第２のＩＤ情報はＩＤ情報ＩＤ３ａ２およびＩＤ情報ＩＤ３ａ３である。第１のＩＤ情報および第２のＩＤ情報の第２の組合せにおいて、第１のＩＤ情報はＩＤ情報ＩＤ３ｂ１であり、かつ第２のＩＤ情報はＩＤ情報ＩＤ３ｂ２およびＩＤ情報ＩＤ３ｂ３である。第１のＩＤ情報および第２のＩＤ情報の第３の組合せにおいて、第１のＩＤ情報はＩＤ情報ＩＤ３ｃ１であり、かつ第２のＩＤ情報はＩＤ情報ＩＤ３ｃ２である。第１のＩＤ情報および第２のＩＤ情報の第４の組合せにおいて、第１のＩＤ情報はＩＤ情報ＩＤ３ｄ１であり、かつ第２のＩＤ情報はＩＤ情報ＩＤ３ｄ２である。
【０２４１】
ＩＤ情報ＩＤ４ａ１が添付されたカートリッジから取り出された対象物から２つの薄片が切り出される。２つの薄片は、ＩＤ情報ＩＤ４ａ２が添付されたスライドガラスおよびＩＤ情報ＩＤ４ａ３が添付されたスライドガラスの各々に置かれる。ＩＤ情報ＩＤ４ｂ１が添付されたカートリッジから取り出された対象物から１つの薄片が切り出される。その薄片は、ＩＤ情報ＩＤ４ｂ２が添付されたスライドガラスに置かれる。ＩＤ情報ＩＤ４ｃ１が添付されたカートリッジから取り出された対象物から１つの薄片が切り出される。その薄片は、ＩＤ情報ＩＤ４ｃ２が添付されたスライドガラスに置かれる。
【０２４２】
画像情報Ｉｍａｇｅ４ｄ、第１のＩＤ情報、および第２のＩＤ情報が記録媒体５０に記録される。第１のＩＤ情報および第２のＩＤ情報の第１の組合せにおいて、第１のＩＤ情報はＩＤ情報ＩＤ４ａ１であり、かつ第２のＩＤ情報はＩＤ情報ＩＤ４ａ２およびＩＤ情報ＩＤ４ａ３である。第１のＩＤ情報および第２のＩＤ情報の第２の組合せにおいて、第１のＩＤ情報はＩＤ情報ＩＤ４ｂ１であり、かつ第２のＩＤ情報はＩＤ情報ＩＤ４ｂ２である。第１のＩＤ情報および第２のＩＤ情報の第３の組合せにおいて、第１のＩＤ情報はＩＤ情報ＩＤ４ｃ１であり、かつ第２のＩＤ情報はＩＤ情報ＩＤ４ｃ２である。
【０２４３】
染色において、画像情報Ｉｍａｇｅ３ｅ、第１のＩＤ情報、および第２のＩＤ情報が記録媒体５０に記録される。第１のＩＤ情報および第２のＩＤ情報は同一である。ＩＤ情報ＩＤ３ａ２、ＩＤ情報ＩＤ３ｂ２、ＩＤ情報ＩＤ３ｃ２、ＩＤ情報ＩＤ３ｄ２、ＩＤ情報ＩＤ３ａ３、およびＩＤ情報ＩＤ３ｂ３の各々が第１のＩＤ情報および第２のＩＤ情報として記録媒体５０に記録される。
【０２４４】
また、染色において、画像情報Ｉｍａｇｅ４ｅ、第１のＩＤ情報、および第２のＩＤ情報が記録媒体５０に記録される。第１のＩＤ情報および第２のＩＤ情報は同一である。ＩＤ情報ＩＤ４ａ２、ＩＤ情報ＩＤ４ｂ２、ＩＤ情報ＩＤ４ｃ２、およびＩＤ情報ＩＤ４ａ３の各々が第１のＩＤ情報および第２のＩＤ情報として記録媒体５０に記録される。
【０２４５】
診断において、画像情報Ｉｍａｇｅ３ｆ、第１のＩＤ情報、および第２のＩＤ情報が記録媒体５０に記録される。第１のＩＤ情報および第２のＩＤ情報は同一である。ＩＤ情報ＩＤ３ａ２、ＩＤ情報ＩＤ３ｂ２、ＩＤ情報ＩＤ３ｃ２、ＩＤ情報ＩＤ３ｄ２、ＩＤ情報ＩＤ３ａ３、およびＩＤ情報ＩＤ３ｂ３の各々が第１のＩＤ情報および第２のＩＤ情報として記録媒体５０に記録される。
【０２４６】
また、診断において、画像情報Ｉｍａｇｅ４ｆ、第１のＩＤ情報、および第２のＩＤ情報が記録媒体５０に記録される。第１のＩＤ情報および第２のＩＤ情報は同一である。ＩＤ情報ＩＤ４ａ２、ＩＤ情報ＩＤ４ｂ２、ＩＤ情報ＩＤ４ｃ２、およびＩＤ情報ＩＤ４ａ３の各々が第１のＩＤ情報および第２のＩＤ情報として記録媒体５０に記録される。
【０２４７】
ユーザＧは、ＩＤ情報ＩＤ４ｂ２が添付された病理標本が怪しいことに気付く。このため、対象物の取り違えが発生している可能性がある。指示受付部６１は、第２のＩＤ情報ＩＤ４ｂ２を指定する指示を受け付ける。読み出し部７０は、画像情報Ｉｍａｇｅ４ｆ、第１のＩＤ情報ＩＤ４ｂ２、および第２のＩＤ情報ＩＤ４ｂ２を記録媒体５０から読み出す。表示部８０は、画像情報Ｉｍａｇｅ４ｆ、第１のＩＤ情報ＩＤ４ｂ２、および第２のＩＤ情報ＩＤ４ｂ２を表示する。検証者は、画像情報Ｉｍａｇｅ４ｆに基づいて、ユーザＥおよびユーザＦが怪しい行動をしているか否かを確認する。画像情報Ｉｍａｇｅ４ｆからは取り違えの原因が判明しない場合、検証者は、１つ前の処理の画像情報を確認する。
【０２４８】
前述した第１の例と同様に、検証者は、画像情報Ｉｍａｇｅ４ｅ、画像情報Ｉｍａｇｅ４ｄ、および画像情報Ｉｍａｇｅ４ｃを順次確認する。画像情報Ｉｍａｇｅ４ｃからは取り違えの原因が判明しない場合、検証者は、１つ前の処理の画像情報を確認する。
【０２４９】
読み出し部７０は、画像情報Ｉｍａｇｅ３ｂ、第１のＩＤ情報ＩＤ３、および第２のＩＤ情報ＩＤ４ｂ１を記録媒体５０から読み出す。表示部８０は、画像情報Ｉｍａｇｅ３ｂ、第１のＩＤ情報ＩＤ３、および第２のＩＤ情報ＩＤ４ｂ１を表示する。画像情報Ｉｍａｇｅ３ｂにおいて、ユーザＢが切り出しの作業と異なる作業を行う様子が確認される。ユーザＢが電話などの作業の前後で異なる対象物を持っていることが確認される。第１のＩＤ情報ＩＤ３に対応する対象物は、本来とは異なるカートリッジに誤って入れられたと推測される。第２のＩＤ情報ＩＤ４ｂ１が添付されたカートリッジに入れられるべきであった対象物の特定が必要である。
【０２５０】
ＩＤ情報ＩＤ４ｂ１に対応する対象物が処理された時刻と近い時刻に処理された対象物が確認の対象である。このため、検証者は、切り出しにおいて画像情報Ｉｍａｇｅ３ｂが生成された時刻と近い時刻に生成された画像情報Ｉｍａｇｅ４ｂを確認する。その結果、画像情報Ｉｍａｇｅ４ｂにおいて、ＩＤ情報ＩＤ４に対応する対象物が、ＩＤ情報ＩＤ３ｄ１が添付されたスライドガラスに置かれる様子が確認される。本来、この対象物は、ＩＤ情報ＩＤ４ｂ１が添付されたスライドガラスに置かれるべきである。
【０２５１】
例えば、受付に到着した容器のＩＤ情報と、その容器に収納された対象物に使用されるカートリッジに添付されたＩＤ情報との関係は予め規定されている。このため、ＩＤ情報ＩＤ４とＩＤ情報ＩＤ３ｄ１との関係が誤っていると検証者は判断することができる。
【０２５２】
上記のように特定されたＩＤ情報ＩＤ３ｄ１に対応する病理標本が以下のように特定される。指示受付部６１は、第１のＩＤ情報ＩＤ３ｄ１を指定する指示を受け付ける。読み出し部７０は、画像情報Ｉｍａｇｅ３ｃ、第１のＩＤ情報ＩＤ３ｄ１、および第２のＩＤ情報ＩＤ３ｄ１を記録媒体５０から読み出す。前述した第１の例と同様の処理により、読み出し部７０は、最終的に画像情報Ｉｍａｇｅ３ｆ、第１のＩＤ情報ＩＤ３ｄ２、および第２のＩＤ情報ＩＤ３ｄ２を記録媒体５０から読み出す。ＩＤ情報ＩＤ３ｄ２が添付された病理標本が、ＩＤ情報ＩＤ４ｂ２が添付された病理標本と取り違えられた可能性がある。
【０２５３】
ＩＤ情報ＩＤ３ｃ２が添付された病理標本と、ＩＤ情報ＩＤ３ｄ２が添付された病理標本との比較が行われる。これらの病理標本は、同一の部位から切り出されているべきであり、かつ構造などの特徴が共通するべきである。また、ＩＤ情報ＩＤ４ａ２が添付された病理標本と、ＩＤ情報ＩＤ４ｂ２が添付された病理標本との比較が行われる。これらの病理標本は、同一の部位から切り出されているべきであり、かつ構造などの特徴が共通するべきである。上記の結果、ＩＤ情報ＩＤ３ｄ２が添付された病理標本と、ＩＤ情報ＩＤ４ｂ２が添付された病理標本とで対象物の取り違えが発生したことが判明する。
【０２５４】
上記のように、取り違えの可能性がある対象物に対応するＩＤ情報に基づいて、確認すべき画像情報が特定される。ユーザは、処理情報である画像情報を確認することにより、取り違えの原因を確認することができる。
【０２５５】
画像情報に基づいて、対象物の取り違え以外の作業誤りの原因の検証が行われてもよい。例えば、切り出しにおける切り出しの方向が予め規定された方向と異なる場合、観察に適した病理標本が作製されない。このため、切り出しにおいて生成された画像情報に基づいて切り出しの方向の確認が行われてもよい。染色において試薬が劣化した場合、適切な染色が行われない。このため、染色において生成された画像情報に基づいて試薬の確認が行われてもよい。染色において染色時間が予め規定された時間と異なる場合、適切な染色が行われない。このため、染色において生成された画像情報に基づいて染色時間の確認が行われてもよい。
【０２５６】
（第６の実施形態）
図３１は、本発明の第６の実施形態の情報記録システム１３の構成を示す。図３１に示す構成について、図１に示す構成と異なる点を説明する。
【０２５７】
図３１に示すように、情報記録システム１３は、情報生成部２０、ＩＤ取得部３０、および情報記録装置１１０を有する。情報生成部２０およびＩＤ取得部３０は、図１に示す、各構成に対応する構成と同様である。図３１に示す情報記録システム１３において、図１に示す情報記録システム１０における記録部４０および記録媒体５０が情報記録装置１１０に変更される。
【０２５８】
情報記録装置１１０は、記録部４０、記録媒体５０、および入力部１２０を有する。記録部４０および記録媒体５０は、図１に示す、各構成に対応する構成と同様である。情報生成部２０によって生成された処理情報と、ＩＤ取得部３０によって取得されたＩＤ情報とが入力部１２０に入力される。例えば、情報生成部２０およびＩＤ取得部３０の少なくとも１つと情報記録装置１１０とは、ケーブルにより接続される。この場合、入力部１２０は、ケーブルが接続される入力端子である。情報生成部２０およびＩＤ取得部３０の少なくとも１つと情報記録装置１１０とは、無線により接続されてもよい。この場合、入力部１２０は、情報生成部２０およびＩＤ取得部３０の少なくとも１つと無線通信を行う無線通信部である。
【０２５９】
記録媒体５０は、情報記録装置１１０の外部に配置されてもよい。記録媒体５０は、情報記録装置１１０への装着および情報記録装置１１０からの取り外しができてもよい。情報記録装置１１０がネットワークインターフェースを有し、かつ情報記録装置１１０が、ネットワークを介して記録媒体５０と接続してもよい。情報記録装置１１０が無線通信インターフェースを有し、かつ情報記録装置１１０が無線通信により記録媒体５０と接続してもよい。
【０２６０】
情報記録装置１１０が、プログラムを読み込み、かつ読み込まれたプログラムを実行してもよい。つまり、情報記録装置１１０の機能はソフトウェアにより実現されてもよい。このプログラムは、記録部４０の動作を規定する命令を含む。このプログラムは、例えばフラッシュメモリのような「コンピュータ読み取り可能な記録媒体」により提供されてもよい。また、上述したプログラムは、このプログラムが保存された記憶装置等を有するコンピュータから、伝送媒体を介して、あるいは伝送媒体中の伝送波により情報記録装置１１０に伝送されてもよい。プログラムを伝送する「伝送媒体」は、インターネット等のネットワーク（通信網）や電話回線等の通信回線（通信線）のように、情報を伝送する機能を有する媒体である。また、上述したプログラムは、前述した機能の一部を実現してもよい。さらに、上述したプログラムは、前述した機能をコンピュータに既に記録されているプログラムとの組合せで実現できる差分ファイル（差分プログラム）であってもよい。
【０２６１】
上記以外の点について、図３１に示す構成は、図１に示す構成と同様である。
【０２６２】
図３２は、情報記録装置１１０による処理の手順を示す。図３２を参照し、情報記録装置１１０による処理の手順を説明する。
【０２６３】
ＩＤ取得部３０によって取得された第１のＩＤ情報が入力部１２０に入力される（ステップＳ３００（入力ステップ））。ステップＳ３００の後、情報生成部２０によって生成された処理情報が入力部１２０に入力される（ステップＳ３０５（入力ステップ））。ステップＳ３０５の後、ＩＤ取得部３０によって取得された第２のＩＤ情報が入力部１２０に入力される（ステップＳ３１０（入力ステップ））。ステップＳ３１０の後、記録部４０は、第１のＩＤ情報および第２のＩＤ情報を処理情報に関連付け、かつ処理情報、第１のＩＤ情報、および第２のＩＤ情報を記録媒体に記録する（ステップＳ３１５（記録ステップ））。
【０２６４】
上記のように、処理情報、第１のＩＤ情報、および第２のＩＤ情報が入力部１２０に入力される。記録部４０は、第１のＩＤ情報および第２のＩＤ情報を処理情報に関連付け、かつ処理情報、第１のＩＤ情報、および第２のＩＤ情報を記録媒体５０に記録する。このため、情報記録装置１１０は、処理状況の妥当性の検証を支援することができる。
【０２６５】
第１の実施形態の第１から第５の変形例に開示された事項は、第６の実施形態の情報記録システム１３に同様に適用されてもよい。
【０２６６】
例えば、情報記録システム１３は、図６に示す指示受付部６０を有してもよい。つまり、指示受付部６０によって受け付けられた開始指示および終了指示が入力部１２０に入力されてもよい。情報記録装置１１０は、図６に示す指示受付部６０を有してもよい。
【０２６７】
情報記録システム１３において、ＩＤ取得部３０は、図８に示すＩＤ取得部３０ｂに変更されてもよい。つまり、第１のＩＤ取得部３００によって取得された第１のＩＤ情報と、第２のＩＤ取得部３０１によって取得された第２のＩＤ情報とが入力部１２０に入力されてもよい。
【０２６８】
情報記録システム１３において、ＩＤ取得部３０は、図９に示すＩＤ取得部３０ｃに変更されてもよい。つまり、画像処理部３０３によって取得されたＩＤ情報が入力部１２０に入力されてもよい。ＩＤ取得部３０ｃは画像処理部３０３を有していなくてもよい。したがって、カメラ３０２によって生成された画像情報がＩＤ情報として入力部１２０に入力されてもよい。
【０２６９】
情報記録システム１３において、情報生成部２０は、図１０に示す情報生成部２０ｄに変更され、かつＩＤ取得部３０は、図１０に示すＩＤ取得部３０ｃに変更されてもよい。つまり、カメラ３０２または画像処理部３０３から処理情報が入力部１２０に入力されてもよい。画像処理部３０３によって取得されたＩＤ情報が入力部１２０に入力されてもよい。ＩＤ取得部３０ｃは画像処理部３０３を有していなくてもよい。したがって、カメラ３０２によって生成された画像情報がＩＤ情報として入力部１２０に入力されてもよい。
【０２７０】
情報記録システム１３において、ＩＤ取得部３０は、図１５に示すＩＤ取得部３０ｅに変更されてもよい。つまり、音声処理部３０５によって認識されたＩＤ情報が入力部１２０に入力されてもよい。
【０２７１】
（第７の実施形態）
図３３は、本発明の第７の実施形態の情報記録システム１４の構成を示す。図３３に示す構成について、図３１に示す構成と異なる点を説明する。
【０２７２】
情報記録システム１４において、図３１に示す情報記録装置１１０が情報記録装置１１１に変更される。情報記録システム１４はさらに、指示受付部６１および表示部８０を有する。
【０２７３】
指示受付部６１は、図１６に示す指示受付部６１と同様である。指示受付部６１によって受け付けられた指示は、入力部１２０に入力される。情報記録装置１１１は、図３１に示す情報記録装置１１０が有する構成に加えて、読み出し部７０および出力部１３０を有する。読み出し部７０は、入力部１２０に入力された指示に対応する第１のＩＤ情報および第２のＩＤ情報の少なくとも１つに関連付けられた処理情報と、処理情報に関連付けられた第１のＩＤ情報および第２のＩＤ情報とを記録媒体５０から読み出す。
【０２７４】
出力部１３０は、読み出し部７０によって読み出された処理情報、第１のＩＤ情報、および第２のＩＤ情報を出力する。例えば、表示部８０と情報記録装置１１１とは、ケーブルにより接続される。この場合、出力部１３０は、ケーブルが接続される出力端子である。表示部８０と情報記録装置１１１とは、無線により接続されてもよい。この場合、出力部１３０は、表示部８０と無線通信を行う無線通信部である。表示部８０は、出力部１３０によって出力された処理情報、第１のＩＤ情報、および第２のＩＤ情報を表示する。情報記録装置１１１が指示受付部６１を有してもよい。
【０２７５】
上記以外の点について、図３３に示す構成は、図３１に示す構成と同様である。
【０２７６】
情報記録装置１１１は、図３２に示す処理を行う。図３２に示す処理が終了した後、情報記録装置１１１は、図３４に示す処理を行う。図３４は、情報記録装置１１１による処理の手順を示す。図３４を参照し、情報記録装置１１１による処理の手順を説明する。
【０２７７】
指示受付部６１は、第１のＩＤ情報および第２のＩＤ情報の少なくとも１つを指定する指示を受け付ける。このとき、その指示が入力部１２０に入力される（ステップＳ４００（指示入力ステップ））。ステップＳ４００の後、読み出し部７０は、入力部１２０に入力された指示に対応する第１のＩＤ情報および第２のＩＤ情報の少なくとも１つに関連付けられた処理情報を記録媒体５０から読み出す。また、読み出し部７０は、その処理情報に関連付けられた第１のＩＤ情報および第２のＩＤ情報を記録媒体５０から読み出す（ステップＳ４０５（読み出しステップ））。ステップＳ４０５の後、出力部１３０は、読み出し部７０によって読み出された処理情報、第１のＩＤ情報、および第２のＩＤ情報を出力する。表示部８０は、出力部１３０によって出力された処理情報、第１のＩＤ情報、および第２のＩＤ情報を表示する（ステップＳ４１０（出力ステップおよび表示ステップ））。
【０２７８】
第３の実施形態と同様に、指示受付部６１は、処理情報を指定する指示を受け付けてもよい。指示受付部６１によって受け付けられた指示は、入力部１２０に入力されてもよい。読み出し部７０は、入力部１２０に入力された指示に対応する処理情報と、処理情報に関連付けられた第１のＩＤ情報および第２のＩＤ情報とを記録媒体５０から読み出してもよい。
【０２７９】
上記のように、情報記録システム１４は指示受付部６１を有し、かつ情報記録装置１１１は読み出し部７０および出力部１３０を有する。これにより、情報記録装置１１１は、指示受付部６１によって受け付けられた指示に対応するＩＤ情報または処理情報に関連付けられた情報を記録媒体５０から取得することができる。
【０２８０】
（第８の実施形態）
図３５は、本発明の第８の実施形態の情報記録システム１５の構成を示す。図３５に示す構成について、図３１に示す構成と異なる点を説明する。
【０２８１】
情報記録システム１５において、図３１に示す情報記録装置１１０が情報記録装置１１２に変更される。情報記録システム１５はさらに、警告部１００を有する。
【０２８２】
情報記録装置１１２は、図３１に示す情報記録装置１１０が有する構成に加えて、読み出し部７０、判定部９０、および出力部１３０を有する。読み出し部７０は、図２５に示す読み出し部７０と同様である。判定部９０は、記録媒体５０に記録された処理情報、第１のＩＤ情報、および第２のＩＤ情報の少なくとも１つが、処理情報、第１のＩＤ情報、および第２のＩＤ情報が満たすべき条件として予め定義された条件と一致するか否かを判定する。判定部９０は、判定結果に応じた制御情報を生成する。出力部１３０は、判定部９０によって生成された制御情報を出力する。警告部１００は、記録媒体５０に記録された処理情報、第１のＩＤ情報、および第２のＩＤ情報の少なくとも１つが、上記の条件と一致しない場合に、制御情報に基づいて警告を発する。
【０２８３】
上記以外の点について、図３５に示す構成は、図３１に示す構成と同様である。
【０２８４】
情報記録装置１１２は、図３２に示す処理を行う。図３２に示す処理が終了した後、情報記録装置１１２は、図２６に示す処理と同様の処理を行う。図２６に示すステップＳ２４０において、記録媒体５０から読み出された情報の少なくとも１つと、条件情報によって示される条件とが一致しない場合、判定部９０は、警告部１００に警告を出力させるための制御情報を生成する。出力部１３０は、判定部９０によって生成された制御情報を出力する。警告部１００は、制御情報に基づいて警告を出力する。
【０２８５】
上記のように、情報記録システム１５は警告部１００を有し、かつ情報記録装置１１２は判定部９０および出力部１３０を有する。これにより、情報記録装置１１２は、作業誤りの発生を低減させることができる。作業誤りが発生した場合、情報記録装置１１２は、第６の実施形態の情報記録装置１１０と同様に、処理状況の妥当性の検証を支援することができる。
【０２８６】
以上、本発明の好ましい実施形態を説明したが、本発明はこれら実施形態およびその変形例に限定されることはない。本発明の趣旨を逸脱しない範囲で、構成の付加、省略、置換、およびその他の変更が可能である。また、本発明は前述した説明によって限定されることはなく、添付のクレームの範囲によってのみ限定される。
【符号の説明】
【０２８７】
１０，１０ａ，１０ｂ，１０ｃ，１０ｄ，１０ｅ，１１，１２，１３，１４，１５  情報記録システム
２０，２０ｄ  情報生成部
３０，３０ｂ，３０ｃ，３０ｅ  ＩＤ取得部
４０  記録部
５０  記録媒体
６０，６１  指示受付部
７０  読み出し部
８０  表示部
９０  判定部
１００  警告部
１１０，１１１，１１２  情報記録装置
１２０  入力部
１３０  出力部
３００  第１のＩＤ取得部
３０１  第２のＩＤ取得部
３０２  カメラ
３０３  画像処理部
３０４  音声取得部
３０５  音声処理部
【図１】
2018132885.tif 000003
【図２】
2018132885.tif 000004
【図３】
2018132885.tif 000005
【図４】
2018132885.tif 000006
【図５】
2018132885.tif 000007
【図６】
2018132885.tif 000008
【図７】
2018132885.tif 000009
【図８】
2018132885.tif 000010
【図９】
2018132885.tif 000011
【図１０】
2018132885.tif 000012
【図１１】
2018132885.tif 000013
【図１２】
2018132885.tif 000014
【図１３】
2018132885.tif 000015
【図１４】
2018132885.tif 000016
【図１５】
2018132885.tif 000017
【図１６】
2018132885.tif 000018
【図１７】
2018132885.tif 000019
【図１８】
2018132885.tif 000020
【図１９】
2018132885.tif 000021
【図２０】
2018132885.tif 000022
【図２１】
2018132885.tif 000023
【図２２】
2018132885.tif 000024
【図２３】
2018132885.tif 000025
【図２４】
2018132885.tif 000026
【図２５】
2018132885.tif 000027
【図２６】
2018132885.tif 000028
【図２７】
2018132885.tif 000029
【図２８】
2018132885.tif 000030
【図２９】
2018132885.tif 000031
【図３０】
2018132885.tif 000032
【図３１】
2018132885.tif 000033
【図３２】
2018132885.tif 000034
【図３３】
2018132885.tif 000035
【図３４】
2018132885.tif 000036
【図３５】
2018132885.tif 000037